(57)【要約】【課題】本発明の目的は、接触不良を抑制するためにワイピング量を制御することができるコネクタを提供することである。【解決手段】コネクタは、接点孔及び係止受け部を有するハウジングと、接続端子とを備える。接続端子は、固定部、延在部、可動接点部、係止部及び連結剛体部を含む。固定部はハウジングに固定される。延在部は、一端が固定部から湾曲して延在し、弾性を有する。可動接点部は、ハウジングの接点孔の外部から押圧可能に突出する。また、可動接点部は、押圧方向に沿って延在するガイド部を有し、接点孔に面する係止受け部の端面と、ガイド部とが、接点孔の外部から最大変位量で押圧される前に接触する。係止部は、延在部の他端に連結され、可動接点部が押圧されていない状態においてハウジングの係止受け部に係止される。連結剛体部は、係止部と可動接点部とを連結する。【選択図】図５
2015106468.tif 000002
【特許請求の範囲】
【請求項１】
接点孔及び前記接点孔に隣接する係止受け部を有するハウジングと、
前記ハウジングに収容される接続端子と、
を備え、
前記接続端子は、
前記ハウジングに固定される固定部と、
一端が前記固定部から湾曲して延在し、弾性を有する延在部と、
前記ハウジングの接点孔の外部から押圧可能に突出し、押圧方向に沿って延在するガイド部を有し、前記接点孔に面する前記係止受け部の端面と、前記ガイド部とが、前記接点孔の外部から最大変位量で押圧される前に接触する可動接点部と、
前記延在部の他端に連結され、前記可動接点部が押圧されていない状態において前記ハウジングの係止受け部に係止される係止部と、
前記係止部と前記可動接点部とを連結する連結剛体部と、
を含む、コネクタ。
【請求項２】
前記ガイド部と前記係止受け部の端面とが接触した後、前記可動接点部は、前記ガイド部が前記係止受け部の端面と接触したまま押し込まれる、請求項１に記載のコネクタ。
【請求項３】
前記ガイド部と前記係止受け部の端面との接触領域は直線状である、請求項２に記載のコネクタ。
【請求項４】
前記ハウジングの係止受け部の端面と前記可動接点部のガイド部とは、前記可動接点部の押し込み方向への変位が前記最大変位量の１／５に至るまでに接触する、請求項１に記載のコネクタ。
【請求項５】
前記ハウジングの係止受け部の端面と前記可動接点部のガイド部とは、前記可動接点部の押し込み方向への変位が、前記最大変位量の１／１０に至るまでに接触する、請求項４に記載のコネクタ。
【請求項６】
前記可動接点部が押圧されていない状態において、前記ハウジングの係止受け部の端面と前記可動接点部の前記ガイド部とは接触するように配置される、請求項１に記載のコネクタ。
【請求項７】
前記係止部は、前記延在部の自由端側に設けられた前記連結剛体部に対して前記固定部とは反対側に延在しており、前記可動接点部が押圧されていない状態において前記ハウジングの係止受け部に係止される、請求項１に記載のコネクタ。
【請求項８】
前記連結剛体部の強度は前記延在部の強度よりも強い、請求項１に記載のコネクタ。
【請求項９】
前記連結剛体部の幅は前記延在部の幅よりも広い、請求項８に記載のコネクタ。
【請求項１０】
前記可動接点部は、前記ハウジングの接点孔から外部に突出する方向において、前記ガイド部の先端に設けられた接触部をさらに含む、請求項１に記載のコネクタ。
【請求項１１】
前記可動接点部は、前記ガイド部に対向し、先端に行くほど前記ガイド部との距離が狭まる対向辺部をさらに含む、請求項１に記載のコネクタ。
【請求項１２】
前記対向辺部は湾曲した形状である、請求項１１に記載のコネクタ。
【請求項１３】
前記延在部は、互いに離隔して湾曲する複数本の延在部からなる、請求項１に記載のコネクタ。
【請求項１４】
前記延在部は、開口方向が異なる方向の第１湾曲部及び第２湾曲部を含み、
前記第１湾曲部と前記第２湾曲部との間において、複数本の延在部どうしが規制連結部によって連結されている、請求項１３に記載のコネクタ。
【発明の詳細な説明】
【技術分野】
【０００１】
本発明は、接続端子がハウジングに組みこまれているコネクタに関する。
【背景技術】
【０００２】
特許文献１には、応力集中が生じにくい接続端子３０が組みこまれたコネクタが開示されている。図２４（ａ）、（ｂ）は、特許文献１の接続端子３０の断面図である。図２４に示すように、特許文献１の接続端子３０は、支持部３２と、分岐部３３と、延在部３４と、可動接点部３６と、位置規制用突部３７とを備える。分岐部３３は、支持部３２の一端に設けられている。延在部３４は、支持部３２の先端から湾曲して延在する。延在部３４は、互いに概ね平行に離隔して蛇行する第１、第２、第３延在部３４ａ、３４ｂ、３４ｃを含む。可動接点部３６は、第１、第２、第３延在部３４ａ、３４ｂ、３４ｃを一体化した先端に設けられている。位置規制用突部３７は、第１延在部３４ａの先端から、第１延在部３４ａの湾曲した開口外側に向かって突出している。ハウジング１０には、可動接点部３６が突出可能な接点孔１４と、接点孔１４の一方に配置された位置規制用受け部１７とが設けられている。
【０００３】
可動接点部３６がハウジング１０内に押し込まれる前においては、図２４（ａ）に示すように位置規制用突部３７が位置規制用受け部１７に係止している。可動接点部３６がハウジング１０内に押し込まれると、可動接点部３６は図２４（ｂ）の状態に移動する。つまり、可動接点部３６が押し込まれる前においては、図２４（ａ）に示すように位置規制用突部３７が位置規制用受け部１７に係止しており、可動接点部３６は位置規制用受け部１７と離隔している。そして、可動接点部３６がハウジング１０内に最大に押し込まれると、図２４（ｂ）に示すように、可動接点部３６と位置規制用受け部１７とが接触する。
【先行技術文献】
【特許文献】
【０００４】
【特許文献１】特許第４８８３２１５号明細書
【発明の概要】
【発明が解決しようとする課題】
【０００５】
特許文献１の接続端子３０では、延在部３４が複数の第１、第２、第３延在部３４ａ、３４ｂ、３４ｃで構成されているため、応力集中が生じにくい。しかし、可動接点部３６を押し込む場合、図２４（ａ）及び図２４（ｂ）に示すように可動接点部３６が位置規制用受け部１７に向かって移動する。このような移動を所謂ワイピングと称する。一般的にはワイピングは接続端子３０及び相手側基板の表面に発生した酸化皮膜を削り取り、接触信頼性を高める目的で利用される。しかし、ワイピング量が大きくなると、接続端子３０と相手側基板との結合時に接触のずれ量が大きくなり相手側基板の接触面の面積を大きくとらないと接触不良が生じ易い。
【０００６】
そこで、本発明は、接触不良を抑制するためにワイピング量を制御することができるコネクタを提供することを目的とする。
【課題を解決するための手段】
【０００７】
本発明の一態様に係るコネクタは、ハウジングと、接続端子とを備える。ハウジングは、接点孔及び接点孔に隣接する係止受け部を有する。接続端子は、ハウジングに収容される。ここで、接続端子は、固定部と、延在部と、可動接点部と、係止部と、連結剛体部とを含む。固定部は、ハウジングに固定される。延在部は、一端が固定部から湾曲して延在し、弾性を有する。可動接点部は、ハウジングの接点孔の外部から押圧可能に突出する。また、可動接点部は、押圧方向に沿って延在するガイド部を有し、接点孔に面する係止受け部の端面と、ガイド部とが、接点孔の外部から最大変位量で押圧される前に接触する。係止部は、延在部の他端に連結され、可動接点部が押圧されていない状態においてハウジングの係止受け部に係止される。連結剛体部は、係止部と可動接点部とを連結する。
【０００８】
上記構成によれば、可動接点部のガイド部は、可動接点部がハウジング内に最大変位量で押圧される前に、ハウジングの接点孔に面する係止受け部の端面に接触する。
【０００９】
例えば、ガイド部は、係止受け部の端面に対して平行ではなく、基部から先端に向かって係止受け部から離れる側に所定の傾斜を有して形成され得る。この場合には、可動接点部が押圧されていない状態において、ガイド部とハウジングの係止受け部の端面との間には所定の隙間があり得る。そして、可動接点部が所定距離分だけハウジング内に押し込まれると、延在部からの係止受け部側に押し付ける力によって、ガイド部がハウジングの係止受け部の端面に接触し得る。その後、傾斜したガイド部と係止受け部の端面とが接触した状態で可動接点部がハウジング内に押し込まれる。よって、ガイド部の傾斜角度及び最大変位量等に応じて可動接点部の移動量、つまりワイピング量を抑制するように制御することができる。そのため、可動接点部がワイピングすることによる、可動接点部と相手側基板との接触不良を抑制することができる。例えば、可動接点部のワイピング量を小さくするにはガイド部の傾斜角度を小さくする。逆に、可動接点部のワイピング量を大きくするにはガイド部の傾斜角度を大きくする。
【００１０】
また、ガイド部の係止受け部側の端面は、係止受け部の端面に対して平行に、鉛直方向に沿って延在していてもよい。この場合には、可動接点部が押圧されていない状態において、ガイド部とハウジングの係止受け部の端面とは接触している。可動接点部がハウジング内に押し込まれた場合においても、その接触状態が維持される。よって、前述と同様にワイピング量を抑制するように制御することができる。
【００１１】
また、可動接点部がハウジングから最大で突出している状態において、延在部は弾性変形してハウジング内に収納されている。よって、可動接点部は、延在部からハウジングの接点孔から突出する方向に押し出す力を受けている。そして、可動接点部が相手側基板により押し込まれた場合には、可動接点部は延在部からさらに大きな押し出す力を受ける。そのため、可動接点部と相手側基板との接触力を高めることができる。
【００１２】
また、可動接点部がハウジングから突出する長さ及び延在部の弾性力等を調整することで、可動接点部の押し込み方向のストローク量を調整することができる。
【００１３】
好ましくは、ガイド部と係止受け部の端面とが接触した後、可動接点部は、ガイド部が係止受け部の端面と接触したまま押し込まれる。
【００１４】
傾斜したガイド部と係止受け部の端面とが接触した状態で可動接点部がハウジング内に押し込まれる。よって、ガイド部の傾斜角度及び最大変位量等に応じて可動接点部の移動量、つまりワイピング量を抑制するように制御することができる。
【００１５】
好ましくは、ガイド部と係止受け部の端面との接触領域は直線状である。よって、ガイド部の係止受け部側の端面と、係止受け部の端面とが密着する。このような密着した状態で可動接点部がハウジング内に押し込まれるため、上述の通りワイピング量を抑制するように制御することができる。
【００１６】
好ましくは、ハウジングの係止受け部の端面と可動接点部のガイド部とは、可動接点部の押し込み方向への変位が最大変位量の１／５に至るまでに接触する。
【００１７】
可動接点部をハウジング内に押し込んだ場合に、最大変位量の１／５に至るまでにハウジングの係止受け部の端面と可動接点部のガイド部とが接触する。この場合、ガイド部の係止受け部の端面に対する傾斜角度が小さく設定されており、可動接点部をハウジング内に押し込んだ場合にすぐに、ハウジングの係止受け部の端面と可動接点部のガイド部とが接触する。これにより、可動接点部のワイピング量を抑制することができる。
【００１８】
好ましくは、ハウジングの係止受け部の端面と可動接点部のガイド部とは、可動接点部の押し込み方向への変位が、最大変位量の１／１０に至るまでに接触する。
【００１９】
可動接点部をハウジング内に押し込んだ場合に、最大変位量の１／１０に至るまでにハウジングの係止受け部の端面と可動接点部のガイド部とが接触する。ガイド部の係止受け部の端面に対する傾斜角度は、最大変位量の１／５に至るまでに係止受け部の端面とガイド部とが接触する場合よりもさらに小さく設定されている。よって、可動接点部のワイピング量をさらに抑制することができる。
【００２０】
好ましくは、可動接点部が押圧されていない状態において、ハウジングの係止受け部の端面と可動接点部のガイド部とは接触するように配置される。なお、「接触するように配置される」とは、必ずしも接触していることを意味するものでは無く、部品間の寸法公差に相当する分の隙間は許容される。具体的には、寸法公差に相当する分の隙間とは、０．１ｍｍ以下であり、さらに可動接点部を寸法公差分押し込んだ時点では係止受け部の端面とガイド部とが接触するように構成されていることを意味する。
【００２１】
係止受け部の端面とガイド部とが接触しており、その状態のまま可動接点部がハウジング内に押し込まれるため、ワイピング量を抑制することができる。
【００２２】
好ましくは、係止部は、延在部の自由端側に設けられた連結剛体部に対して固定部とは反対側に延在しており、可動接点部が押圧されていない状態においてハウジングの係止受け部に係止される。
【００２３】
係止部は、延在部の延在方向に沿って延在するため、延在部の弾性を効率よく利用することができる。また、係止部は、延在部の先端に位置するため、延在部からの弾性力を受けて係止部を係止受け部に安定して係止することができる。
【００２４】
好ましくは、連結剛体部の強度は延在部の強度よりも強い。
【００２５】
連結剛体部の強度は延在部の強度よりも強いため、逆に連結剛体部の弾性は延在部の弾性よりも小さい。連結剛体部には可動接点部が連結されているが、連結剛体部の弾性が小さいため、可動接点部が連結剛体部に安定して固定される。よって、連結剛体部の弾性による可動接点部のワイピングを抑制することができる。
【００２６】
好ましくは、連結剛体部の幅は延在部の幅よりも広い。
【００２７】
連結剛体部の幅は延在部の幅よりも広いため、連結剛体部の強度を延在部の強度よりも強くできる。よって、連結剛体部の弾性による可動接点部のワイピングを抑制することができる。ただし、連結剛体部の幅を大きくしすぎると延在部の弾性が失われるため、延在部の弾性を失わせない程度に連結剛体部の幅が調整される。
【００２８】
好ましくは、可動接点部は、ハウジングの接点孔から外部に突出する方向において、ガイド部の先端に設けられた接触部をさらに含む。
【００２９】
接触部は可動接点部の中でも小さく形成されており、この接触部と相手側基板とが接触するため、相手側基板と接触部との接触面積は小さい。ここで、接続端子とハウジングとの間、コネクタと相手側基板との間等において、嵌合ずれ及び実装ずれが生じ得る。しかし、相手側基板と接触部との接触面積が小さく、接触部の相手側基板内でのずれ量が小さいため、ＸＹ方向のずれがある場合でも接触部と相手側基板との間での接触が維持される。よって、コネクタ等の嵌合工程及び実装工程でのずれによる接触不良の影響を抑制することができる。
【００３０】
好ましくは、可動接点部は、ガイド部に対向し、先端に行くほどガイド部との距離が狭まる対向辺部をさらに含む。
【００３１】
可動接点部は、ガイド部と対向辺部とを有し、先端に行くほどガイド部と対向辺部との距離が狭まる形状を有している。よって、ハウジングの接点孔から可動接点部を挿入し易い。
【００３２】
好ましくは、対向辺部は湾曲した形状である。
【００３３】
対向辺部が湾曲した形状を有することで、可動接点部の押し込み方向と交差する方向の断面における応力を、いずれの断面箇所においても概ね均等にすることができる。よって、可動接点部の強度を高めることができる。
【００３４】
好ましくは、延在部は、互いに離隔して湾曲する複数本の延在部からなる。
【００３５】
延在部が複数本の延在部からなるため、延在部の弾性力を強くすることができる。よって、係止部をハウジングの係止受け部に安定して係止することができるとともに、可動接点部と相手側基板との接触力を確保することができる。
【００３６】
好ましくは、延在部は、開口方向が異なる方向の第１湾曲部及び第２湾曲部を含む。第１湾曲部と第２湾曲部との間において、複数本の延在部どうしが規制連結部によって連結されている。
【００３７】
規制連結部は、第１湾曲部と第２湾曲部との間において、複数本の延在部どうしを連結する。よって、複数本の延在部が連動して動くようにすることができる。そのため、複数本の延在部の動きを制御し易くなる。規制連結部が設けられていない場合には、例えば、複数本の延在部が別々に動き、互いに重なる等して動きの制御が困難となり得る。また、第１湾曲部と第２湾曲部との間は応力が掛かりにくい部分であり、この部分に規制連結部を設けることで、規制連結部への応力を回避することができるとともに、複数本の延在部の動きを制御し易くなる。
【発明の効果】
【００３８】
本発明によれば、接触不良を抑制するためにワイピング量を制御することができるコネクタを提供することができる。
【図面の簡単な説明】
【００３９】
【図１】本発明の一実施形態例に係るコネクタ３００の斜視図である。
【図２】可動接点部２１０の突出方向から見た図１のコネクタ３００の上面図である。
【図３】コネクタ３００の側面図である。
【図４】可動接点部２１０の突出方向とは反対の裏面側から見たコネクタ３００の底面図である。
【図５】図２におけるＡ−Ａ断面図である。
【図６】接続端子２００の斜視図である。
【図７】（ａ）は接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【図８】（ａ）は、延在部２０３が押圧されていない状態を示す正面図であり、（ｂ）は延在部２０３がハウジング１００内に収容されている状態を示す正面図である。
【図９】（ａ）は接続端子２００が押圧されることなくハウジング１００内に収容されている様子を示す断面図であり、（ｂ）は可動接点部２１０がハウジング１００内に最大に押し込まれている様子を示す断面図である。
【図１０】図９（ａ）における接続端子２００の可動接点部２１０と係止受け部１０５との関係を示す拡大図である。
【図１１】可動接点部２１０の押し込み方向への変位が最大変位量の１／５の場合における、可動接点部２１０と係止受け部１０５との関係を示す拡大図である。
【図１２】可動接点部２１０の押し込み方向への変位が最大変位量の１／１０の場合における、可動接点部２１０と係止受け部１０５との関係を示す拡大図である。
【図１３】相手側基板４００の斜視図である。
【図１４】（ａ）は相手側基板４００の正面図であり、（ｂ）は背面図、（ｃ）は右側面図、（ｄ）は左側面図、（ｅ）は上面図、（ｆ）は底面図である。
【図１５】アセンブリ５００をコネクタ３００の底面側から見た斜視図である。
【図１６】アセンブリ５００をコネクタ３００の上面側から見た斜視図である。
【図１７】アセンブリ５００の側面図である。
【図１８】可動接点部２１０の対向辺部２１３の他の一例を示す拡大図である。
【図１９】可動接点部２１０のガイド部２１１の他の一例を示す拡大図である。
【図２０】別の変形例に係る接続端子２００の斜視図である。
【図２１】（ａ）は図２０の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【図２２】さらに別の変形例に係る接続端子２００の斜視図である。
【図２３】（ａ）は図２２の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【図２４】（ａ）、（ｂ）は、特許文献１の接続端子３０の断面図である。
【発明を実施するための形態】
【００４０】
＜実施形態例＞
以下、図面を参照しながら、本発明の実施形態例について説明する。なお、以下の実施形態例は、本発明の具体例であって、本発明の技術的範囲を限定するものではない。
【００４１】
（１）コネクタ３００の構成
（１−１）コネクタ３００の全体構成
図１は、本発明の一実施形態例に係るコネクタ３００の斜視図である。図２は、可動接点部２１０の突出方向から見た図１のコネクタ３００の上面図である。図３はコネクタ３００の側面図であり、図４は可動接点部２１０の突出方向とは反対の裏面側から見たコネクタ３００の底面図である。
【００４２】
本発明の実施形態例に係るコネクタ３００は、ハウジング１００及び接続端子２００を含む。ハウジング１００は、図１に示すように、接続端子２００を収容可能なように例えば、内部が空洞であり下部が開口した箱状の形状を有している。接続端子２００は、ハウジング１００内に収容され、ハウジング１００の接点孔１０７から押圧可能に突出する可動接点部２１０を有する。
【００４３】
本実施形態例のコネクタ３００では、一例として、２本の接続端子２００ａ、２００ｂを１組として、４つの領域から可動接点部２１０が突出している。２本の接続端子２００を１組として相手側基板４００と接触するため、１本の接続端子２００により相手側基板４００と接触する場合よりも接触不良を抑制することができる。
【００４４】
なお、接続端子２００は板状面に沿う形状を有している。この板状面に沿う方向を以下ではＸ方向とし、Ｘ方向と概ね９０°に交差する方向をＹ方向とする。つまり、図１〜図４に示すように、接続端子２００はＹ方向の厚みがＸ方向の幅よりも十分に小さく、Ｘ方向に沿う形状を有している。また、接続端子２００の可動接点部２１０がハウジング１００から突出する方向を上面方向又は上面とし、上面の反対側方向を底面方向又は底面とする。
【００４５】
（１−２）ハウジング１００
次に、ハウジング１００の構成について以下に説明する。図５は、図２におけるＡ−Ａ断面図である。図５のＡ−Ａの断面図では、第２壁１０３を中心として２つの接続端子２００が左右対称に隣接している。同様の構成であるので、図５中、左側の接続端子２００及びその接続端子２００が収容されているハウジング１００のみについて説明する。
【００４６】
ハウジング１００は、図５に示すように所定の厚みを有した第１壁１０１及び第２壁１０３を含む。第１壁１０１は、ハウジング１００の外壁の一部となる。第２壁１０３は、Ｘ方向に隣接する接続端子２００それぞれが収容される空間を仕切る。
【００４７】
ハウジング１００の上面近傍には、挿入壁１０９及び係止受け部１０５が設けられている。挿入壁１０９は、第１壁１０１に隣接して設けられている。この挿入壁１０９と第１壁１０１との間の開口により固定挿入孔１１１が形成されている。後述の接続端子２００の第２固定部２０１ｂの先端が固定挿入孔１１１に挿入される。
【００４８】
係止受け部１０５は、概ね一定の厚みを有しており、第２壁１０３に対して概ね直角の角度を有して第２壁１０３から延在している。係止受け部１０５と挿入壁１０９との間には接点孔１０７が形成されている。この接点孔１０７からは、接続端子２００の可動接点部２１０が押圧可能に突出する。挿入壁１０９の上面と係止受け部１０５の上面とは面一となっており、ハウジング１００の上面の一部を構成している。
【００４９】
ハウジング１００の底面近傍には、図１、図５に示すように、接続端子２００の第１固定部２０１ａが挿入される係止孔１１２が設けられている。
【００５０】
（１−３）接続端子２００
次に、接続端子２００の構成について図５〜図８を用いて以下に説明する。図６は接続端子２００の斜視図である。図７は（ａ）は接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。図８の（ａ）は、延在部２０３が押圧されていない状態を示す正面図であり、（ｂ）は延在部２０３がハウジング１００内に収容されている状態を示す正面図である。
【００５１】
接続端子２００は、固定部２０１、分岐部２０２、延在部２０３、係止部２０７、規制連結部２０９、可動接点部２１０及び連結剛体部２２０を含む。図６に示すように、固定部２０１、分岐部２０２、延在部２０３、係止部２０７、規制連結部２０９、可動接点部２１０及び連結剛体部２２０は、Ｘ方向の板状面に沿うように連結されている。つまり、接続端子２００のＹ方向の厚みは、Ｘ方向の厚みに比べて十分に小さい。
【００５２】
（ａ）固定部２０１
固定部２０１は、第１固定部２０１ａ及び第２固定部２０１ｂを含む。第１固定部２０１ａは、ハウジング１００の底面の係止孔１１２に挿入される。また、第１固定部２０１ａの底部は、図５に示すように、他の基板と接触可能なように所定距離だけハウジング１００の底面から突出している。第２固定部２０１ｂは、第１固定部２０１ａの所定箇所から概ね直角に上方に向かって突出している。第２固定部２０１ｂは、ハウジング１００の第１壁１０１に沿って挿入され、その先端が固定挿入孔１１１に挿入される。このように、固定部２０１は、第１固定部２０１ａがハウジング１００の係止孔１１２に挿入され、第２固定部２０１ｂが第１壁１０１に沿って固定挿入孔１１１に挿入されることでハウジング１００に固定される。これにより、接続端子２００がハウジング１００に固定される。
【００５３】
（ｂ）分岐部２０２、延在部２０３
第２固定部２０１ｂのうち第１固定部２０１ａ近傍から第１壁１０１とは反対側に分岐部２０２が突出して設けられている。分岐部２０２からは、弾性を有する２つの延在部２０３が分岐、湾曲しながら延在している。延在部２０３は、第１延在部２０３ａ及び第２延在部２０３ｂを含む。第１延在部２０３ａと第２延在部２０３ｂとは、スリット２０５を介して概ね平行に離隔して延在している。スリット２０５の幅は、第１延在部２０３ａと第２延在部２０３ｂとが接触しない大きさとなっている。
【００５４】
第１延在部２０３ａ及び第２延在部２０３ｂは、湾曲部２０８を有している。具体的には、図５、図６に示すように、第１延在部２０３ａ及び第２延在部２０３ｂは、第１湾曲部２０８ａ及び第２湾曲部２０８ｂを有する。第１湾曲部２０８ａ及び第２湾曲部２０８ｂは、延在部２０３のうち概ね直線状の部分を除いた湾曲している部分である。第２湾曲部２０８ｂは、延在部２０３が分岐部２０２から最初に湾曲する部分であり、第２固定部２０１ｂ側に開口を有して概ねＵ字状に湾曲している。第１湾曲部２０８ａは、延在部２０３が第２湾曲部２０８ｂの次に湾曲する部分であり、第２湾曲部２０８ｂの開口方向に対して反対側に開口を有する。つまり、第１湾曲部２０８ａは、第２固定部２０１ｂと対向する第２壁１０３側に開口を有して概ねＵ字状に湾曲している。これら２つの第１湾曲部２０８ａ及び第２湾曲部２０８ｂを有することにより、延在部２０３は２か所において蛇行した形状を有している。このような湾曲部２０８を有することにより、延在部２０３は上面方向から押圧された場合にしなやかな弾性を有する。そして、可動接点部２１０が押圧された場合に延在部２０３はその弾性により押し縮められる。また、逆に可動接点部２１０の押圧が解放された場合には、延在部２０３はその弾性により可動接点部２１０を上方に押し上げる。
【００５５】
第１湾曲部２０８ａ及び第２湾曲部２０８ｂは同程度の湾曲及びＸ方向の幅を有している。ただし、第１湾曲部２０８ａ及び第２湾曲部２０８ｂの湾曲の程度及びＸ方向の幅がそれぞれ異なっていても良い。
【００５６】
また、上述の通り、延在部２０３は互いに離隔した複数本の第１延在部２０３ａ及び第２延在部２０３ｂを含む。よって、１本の延在部２０３の場合よりも延在部２０３の弾性力を強くすることができる。そのため、係止部２０７をハウジング１００の係止受け部１０５に安定して係止することができるとともに、可動接点部２１０と相手側基板４００との接触力を確保することができる。
【００５７】
（ｃ）規制連結部２０９
規制連結部２０９は、第１延在部２０３ａと第２延在部２０３ｂとを連結する部材である。規制連結部２０９は、第１湾曲部２０８ａと第２湾曲部２０８ｂとの間に設けられている。つまり、規制連結部２０９は、第１湾曲部２０８ａと第２湾曲部２０８ｂとの間の概ね直線状の部分に設けられている。規制連結部２０９を設けることで、第１延在部２０３ａ及び第２延在部２０３ｂが連動して動くようにすることができる。よって、第１延在部２０３ａ及び第２延在部２０３ｂの動きを制御し易くなる。規制連結部２０９が設けられていない場合には、例えば、第１延在部２０３ａ及び第２延在部２０３ｂが別々に動き、互いに重なる等して動きの制御が困難となり得る。
【００５８】
また、可動接点部２１０を上方からハウジング１００内に押し込んだ場合に、延在部２０３の中でも大きな弾性力を有する第１湾曲部２０８ａ及び第２湾曲部２０８ｂに応力が掛かる。言い換えれば、第１湾曲部２０８ａと第２湾曲部２０８ｂとの間は応力が掛かりにくい部分である。この部分に規制連結部２０９を設けることで、規制連結部２０９への応力を回避するとともに、第１延在部２０３ａ及び第２延在部２０３ｂの動きを制御し易くなる。
【００５９】
（ｄ）係止部２０７
係止部２０７は、分岐部２０２から延在する延在部２０３の他端である自由端に設けられている。係止部２０７は、図５に示すように、接続端子２００の可動接点部２１０が押圧されていない状態において、ハウジング１００の係止受け部１０５に係止される。具体的には、係止部２０７の上面が係止受け部１０５の下面に係止される。係止部２０７は、延在部２０３の自由端側に設けられた連結剛体部２２０に対して第１湾曲部２０８ａとは反対側に配置される。つまり、延在部２０３は、第１湾曲部２０８ａから係止受け部１０５に向かって延在しているが、係止部２０７は延在部２０３の終端方向に向って延びる形状を有している。このように、係止部２０７は延在部２０３の終端方向に向って延在するため、延在部２０３の弾性を効率よく利用することができる。また、係止部２０７は、延在部２０３の終端に設けられているため、延在部２０３からの弾性力を受けて係止部２０７を係止受け部１０５に安定して係止することができる。言い換えれば、係止部７は、延在部２０３の弾性を効率よく利用した形状及び配置となっている。
【００６０】
ここで、図８の（ａ）は、延在部２０３が押圧されていない状態を示し、（ｂ）は延在部２０３がハウジング１００内に収容されている状態を示す。図８の（ａ）、（ｂ）に示すように、延在部２０３がハウジング１００内に収容されると（図８の（ｂ）参照）、延在部２０３が押圧されておらず自由長の状態にある場合（図８の（ａ）参照）よりも押込長さＬｄ分だけ延在部２０３が押し縮められる。よって、図５に示すように接続端子２００がハウジング１００内に収容されると、押し縮められた押込長さＬｄ分に相当する弾性力により係止部２０７が係止受け部１０５を押圧する。これにより、前述の通り、係止部２０７は、延在部２０３からの弾性力を受けて係止受け部１０５に安定して係止される。
【００６１】
（ｅ）連結剛体部２２０
連結剛体部２２０は、係止部２０７と可動接点部２１０とを連続的に連結する。具体的には、連結剛体部２２０は、可動接点部２１０の基部２１４近傍であり、かつ係止部２０７側に位置する部分である。言い換えれば、可動接点部２１０と第２延在部２０３ｂとの間には屈曲部２２１が設けられているが、この屈曲部２２１の開口の底部近傍に連結剛体部２２０が設けられている。
【００６２】
連結剛体部２２０の強度は延在部２０３の強度よりも強い。言い換えれば、連結剛体部２２０の弾性は延在部２０３の弾性よりも小さい。連結剛体部２２０には可動接点部２１０が連結されているが、連結剛体部２２０の弾性が小さいため、可動接点部２１０が連結剛体部２２０に安定して固定される。さらに言い換えれば、屈曲部２２１の弾性力は、延在部２０３の第１湾曲部２０８ａ及び第２湾曲部２０８ｂの弾性力よりも小さい。よって、連結剛体部２２０の弾性及び／又は屈曲部２２１の弾性による可動接点部２１０のワイピングを抑制することができる。
【００６３】
また、後述の図１０に示すように、連結剛体部２２０の最も狭い部分の幅Ｗｃは、第１延在部２０３ａの幅Ｗａ及び第２延在部２０３ｂの幅Ｗｂよりも広い。よって、連結剛体部２２０の強度は第１延在部２０３ａ及び第２延在部２０３ｂの強度よりも強い。そのため、連結剛体部２２０の弾性による可動接点部２１０のワイピングを抑制することができる。
【００６４】
ただし、連結剛体部２２０の幅Ｗｃを大きくしすぎると延在部２０３の弾性が失われるため、延在部２０３の弾性を失わせない程度に連結剛体部２２０の幅Ｗｃが調整される。
【００６５】
（ｆ）可動接点部２１０
可動接点部２１０は、固定部２０１から延在する延在部２０３の自由端側に設けられている。より具体的には、可動接点部２１０は、連結剛体部２２０を介して、延在部２０３の自由端に設けられた係止部２０７と連結されている。
【００６６】
可動接点部２１０は、ハウジング１００の接点孔１０７の外部から押圧可能に突出する部材である。可動接点部２１０の押圧方向は、概ね、ハウジング１００の第１壁１０１の鉛直方向、つまり、第２固定部２０１ｂの延在方向に沿った方向である。
【００６７】
可動接点部２１０は、第２固定部２０１ｂと、延在部２０３の自由端の終端に設けられた係止部２０７との間に設けられている。より詳細には、可動接点部２１０は、接続端子２００がハウジング１００内に収容された場合に、可動接点部２１０のガイド部２１１が係止受け部１０５の接点孔１０７に面する端面１０５ａ（図１０参照）の近傍に位置するように配置されている。また、可動接点部２１０は、ハウジング１００内に押圧された場合には、延在部２０３から係止部２０７側、つまり係止受け部１０５側に押し付けられる力を受ける。よって、後述のように、可動接点部２１０のガイド部２１１と係止受け部１０５の端面１０５ａとが接触する（図１１参照）。
【００６８】
可動接点部２１０は、ガイド部２１１、対向辺部２１３、基部２１４及び接触部２１５を有する。可動接点部２１０はＸ方向に沿う板状の形状を有している。また、可動接点部２１０の板状面は、係止部２０７から離れる先端側ほど、ガイド部２１１と対向辺部２１３との距離が狭まる概ね台形形状を有している。ガイド部２１１は、係止受け部１０５側に面しており、押圧方向に沿って直線状に延在する。ガイド部２１１は、基部２１４から接触部２１５の方向に向って係止受け部１０５から離れる側に若干傾斜している。ガイド部２１１が所定の傾斜を有していると、可動接点部２１０をハウジング１００の接点孔１０７に挿入する際の抵抗が少なく挿入し易い。ガイド部２１１の傾斜については後述する。
【００６９】
対向辺部２１３は、ガイド部２１１に対向して、係止受け部１０５とは反対側の固定挿入孔１１１側に面して直線状に延在している。対向辺部２１３は基部２１４から接触部２１５の方向に向って係止受け部１０５に向かう側に傾斜している。例えば、対向辺部２１３の鉛直方向に対する傾斜角度は、ガイド部２１１の傾斜角度よりも大きい。ガイド部２１１の傾斜及び対向辺部２１３の傾斜によって、可動接点部２１０は先端に行くほどガイド部２１１と対向辺部２１３との距離が狭まる。よって、可動接点部２１０を接点孔１０７に挿入する際の抵抗が少なく挿入し易い。
【００７０】
基部２１４は、可動接点部２１０の底面方向に位置し、可動接点部２１０の底部となる。この基部２１４と、第２延在部２０３ｂの係止部２０７側の終端近傍との間により屈曲部２２１が形成される。
【００７１】
接触部２１５は、基部２１４よりもＸ方向の幅が狭く、ハウジング１００の接点孔１０７から外部に突出する方向において、ガイド部２１１の先端に設けられている。接触部２１５は可動接点部２１０の中でも小さく形成されており、この接触部２１５と相手側基板４００とが接触するため、相手側基板４００と接触部２１５との接触面積は小さい。ここで、接続端子２００とハウジング１００との間、コネクタ３００と相手側基板４００との間等において、嵌合ずれ及び実装ずれが生じ得る。しかし、可動接点部２１０が押し込まれる間に接触部２１５が移動しても、相手側基板４００と接触部２１５との接触面積が小さく、接触部２１５は相手側基板４００内に収まる。そのため、ＸＹ方向のずれがある場合でも接触部２１５と相手側基板４００との間での接触が維持される。よって、コネクタ３００の嵌合工程及び実装工程でのずれによる接触不良の影響を抑制することができる。なお、上記では接触部２１５はガイド部２１１の先端に設けられているが、可動接点部２１０の突出方向の先端であれば他の位置に設けられていてもよい。ただし、ガイド部２１１に連続するように設けられている方が接触部２１５の強度を高めることができ好ましい。
【００７２】
また、図５に示すように、可動接点部２１０がハウジング１００から最大で突出している状態において、延在部２０３は押込長さＬｄ分だけ弾性変形してハウジング１００内に収納されている（図８参照）。このとき、可動接点部２１０は、係止部２０７及び連結剛体部２２０を介して延在部２０３から、ハウジング１００の接点孔１０７から突出する方向に押し出す力を受けている。図５の状態からさらに、可動接点部２１０が相手側基板４００により押し込まれた場合には、可動接点部２１０は延在部２０３からさらに大きな押し出す力を受ける。そのため、可動接点部２１０と相手側基板４００との接触力を高めることができる。
【００７３】
また、可動接点部２１０がハウジング１００から突出する長さ及び延在部２０３の弾性力を調整することで、可動接点部２１０の押し込み方向のストローク量を調整することができる。
【００７４】
（ｇ）製造方法の例
上述のような接続端子２００は、電気鋳造方法、エッチング及び切削などの種々の方法により製造可能である。特に、電気鋳造方法は、微細で加工精度の高い接続端子２００の製造に好適である。
【００７５】
（２）接続端子２００のハウジング１００内への押込動作
次に、ハウジング１００内に収容された接続端子２００が、さらにハウジング１００内に押し込まれる様子について説明する。図９の（ａ）は接続端子２００が押圧されることなくハウジング１００内に収容されている様子を示す断面図であり、（ｂ）は可動接点部２１０がハウジング１００内に最大に押し込まれている様子を示す断面図である。図１０は、図９（ａ）における接続端子２００の可動接点部２１０と係止受け部１０５との関係を示す拡大図である。図１１は、可動接点部２１０の押し込み方向への変位が最大変位量の１／５の場合における、可動接点部２１０と係止受け部１０５との関係を示す拡大図である。図１２は、可動接点部２１０の押し込み方向への変位が最大変位量の１／１０の場合における、可動接点部２１０と係止受け部１０５との関係を示す拡大図である。
【００７６】
（２−１）可動接点部２１０の押し込み前
図９の（ａ）に示すように可動接点部２１０がハウジング１００内に押し込まれる前においては、接続端子２００は、可動接点部２１０が押圧されることなくハウジング１００内に収容されている。このとき、第１固定部２０１ａはハウジング１００底面の係止孔１１２に挿入され、第２固定部２０１ｂが第１壁１０１に沿って固定挿入孔１１１に挿入されている。また、図８に示すように、接続端子２００の係止部２０７は、押込長さＬｄ分に相当する延在部２０３の弾性力によってハウジング１００の係止受け部１０５に係止されている。
【００７７】
このとき、図１０に示すように係止部２０７の上面は係止受け部１０５の下面と接触している。そして、可動接点部２１０が押圧されていない状態において、ハウジング１００の係止受け部１０５の端面１０５ａと、可動接点部２１０のガイド部２１１とは概ね接触するように配置される。ここで、「接触するように配置される」とは、必ずしも接触していることを意味するものでは無く、部品間の寸法公差に相当する分の隙間は許容される。具体的には、寸法公差に相当する分の隙間とは、０．１ｍｍ以下である。さらに、寸法公差に相当する分の隙間とは、可動接点部２１０を寸法公差分押し込んだ時点では係止受け部１０５の端面１０５ａとガイド部２１１とが接触するように構成されていることを意味する。この寸法公差分に相当する分の隙間によって、図１０に示すように、可動接点部２１０のガイド部２１１は、基部２１４から接触部２１５の方向に向って、係止受け部１０５から離れる方向に傾斜角度θ分だけ傾斜している。ここで、係止受け部１０５の端面１０５ａは、接点孔１０７に面し、鉛直方向に沿う壁面である。よって、ガイド部２１１は、係止受け部１０５の端面１０５ａに対して傾斜角度θ分だけ傾斜している。そのため、可動接点部２１０がハウジング１００内に押し込まれる前においては、ガイド部２１１と係止受け部１０５の端面１０５ａとは、寸法公差に相当する傾斜角度θからなる所定の隙間を有している。
【００７８】
（２−２）可動接点部２１０の最大変位量Ｄｍａｘ
図９の（ｂ）においては、可動接点部２１０は、ハウジング１００内に最も深く押し込まれている。可動接点部２１０がハウジング１００内に押し込まれる前の図９の（ａ）の状態と比較して、可動接点部２１０は最大変位量Ｄｍａｘだけハウジング１００内に押し込まれている。このとき、接続端子２００は、第１固定部２０１ａが係止孔１１２に挿入され、第２固定部２０１ｂが固定挿入孔１１１に挿入されて固定されている。また、接続端子２００の係止部２０７は、最大変位量Ｄｍａｘ分だけ係止受け部１０５から離れている。第１延在部２０３ａ及び第２延在部２０３ｂもまた、最大変位量Ｄｍａｘに相当する分だけ押し込み方向に沿って湾曲して押し縮められている。よって、可動接点部２１０は、第１延在部２０３ａ及び第２延在部２０３ｂから上方に押し上げる力を受けている。この押し上げる力は、最大変位量Ｄｍａｘの押し込み分による延在部２０３の弾性力に相当する。
【００７９】
（２−３）ガイド部２１１と係止受け部１０５の端面１０５ａとの接触
（ａ）最大変位量Ｄｍａｘに至るまでの接触
図１１において、一点鎖線は可動接点部２１０がハウジング１００内に押し込まれていない状態を示している。一方、二点鎖線は可動接点部２１０がハウジング１００内に最大変位量Ｄｍａｘだけ押し込まれている状態を示している。可動接点部２１０がハウジング１００内に押し込まれていない場合には、図１１の一点鎖線に示すように、ガイド部２１１と係止受け部１０５の端面１０５ａとの間には傾斜角度θに相当する隙間がある。なお、傾斜角度θは寸法公差分に想到する分の隙間である。寸法公差を設計において考慮しない場合には、可動接点部２１０がハウジング１００内に押し込まれていない場合においても、ガイド部２１１と係止受け部１０５の端面１０５ａとは接触している。
【００８０】
さらに、可動接点部２１０が最大変位量Ｄｍａｘで押し込まれると、図１１の二点鎖線に示すように、ガイド部２１１は係止受け部１０５の端面１０５ａに接触する。つまり、可動接点部２１０が最大変位量Ｄｍａｘで押し込まれている場合には、ガイド部２１１と係止受け部１０５の端面１０５ａとの間には隙間が無い。
【００８１】
結局、可動接点部２１０が最大変位量Ｄｍａｘだけハウジング１００内に押し込まれるまでに、可動接点部２１０のガイド部２１１と係止受け部１０５の端面１０５ａとが接触する。
【００８２】
より具体的に説明すると、前述の通り、接続端子２００及びハウジング１００等が寸法公差を考慮して設計されている場合には、ガイド部２１１は、係止受け部１０５の端面１０５ａに対して傾斜角度θの傾斜を有している。そのため、可動接点部２１０が押圧されていない状態において、ガイド部２１１とハウジング１００の係止受け部１０５の端面１０５ａとの間には寸法公差に相当する傾斜角度θの隙間がある。そして、可動接点部２１０が最大変位量Ｄｍａｘで押し込まれる前に、延在部２０３からの係止受け部１０５側に押し付ける力によって、ガイド部２１１が係止受け部１０５の端面１０５ａに接触する。このとき、係止受け部１０５が延在するＸ方向と交差するＹ方向側から見た場合に、図１１に示すようにガイド部２１１と係止受け部１０５の端面１０５ａとは直線状に接触している。より具体的には、ガイド部２１１の係止受け部１０５側の端面と、係止受け部１０５の端面１０５ａとは密着している。その後、ガイド部２１１と係止受け部１０５の端面１０５ａとが接触した状態で可動接点部２１０がハウジング１００内に押し込まれる。つまり、ガイド部２１１と係止受け部１０５の端面１０５ａとが接触した後においては、可動接点部２１０は鉛直方向に沿って下方に押し下げられる。よって、可動接点部２１０のＸ方向の移動、つまりワイピングは阻止される。これにより、ガイド部２１１の傾斜角度θ及び最大変位量Ｄｍａｘ等に応じて可動接点部２１０の移動量、つまりワイピング量を抑制するように制御することができる。そのため、可動接点部２１０がワイピングすることによる、可動接点部２１０と相手側基板４００との接触不良を抑制することができる。例えば、可動接点部２１０のワイピング量を小さくするにはガイド部２１１の傾斜角度θを小さくする。逆に、可動接点部２１０のワイピング量を大きくするにはガイド部２１１の傾斜角度θを大きくする。
【００８３】
さらに、可動接点部２１０のハウジング１００内への押し込み量と、ガイド部２１１と係止受け部１０５の端面１０５ａとの関係を説明すると以下のようになる。
【００８４】
（ｂ）最大変位量Ｄｍａｘの１／５に至るまでの接触
図１１の実線に示すように、係止受け部１０５の端面１０５ａとガイド部２１１とは、可動接点部２１０の押し込み方向への変位が最大変位量Ｄｍａｘの１／５に至るまでに接触する。
【００８５】
この場合、ガイド部２１１の係止受け部１０５の端面１０５ａに対する傾斜角度θが小さく設定されており、可動接点部２１０をハウジング１００内に押し込んだ場合にすぐに、係止受け部１０５の端面１０５ａとガイド部２１１とが接触する。これにより、可動接点部２１０のワイピング量を抑制することができる。
【００８６】
なお、図１１において、一点鎖線は可動接点部２１０がハウジング１００内に押し込まれていない状態を示している。一方、二点鎖線は可動接点部２１０がハウジング１００内に最大変位量Ｄｍａｘだけ押し込まれている状態を示している。
【００８７】
（ｃ）最大変位量Ｄｍａｘの１／１０に至るまでの接触
図１２の実線に示すように、係止受け部１０５の端面１０５ａとガイド部２１１とは、可動接点部２１０の押し込み方向への変位が最大変位量Ｄｍａｘの１／１０に至るまでに接触する。
【００８８】
この場合、ガイド部２１１の係止受け部１０５の端面１０５ａに対する傾斜角度θは、最大変位量の１／５に至るまでに係止受け部１０５の端面１０５ａとガイド部２１１とが接触する場合よりもさらに小さく設定されている。よって、可動接点部２１０のワイピング量をさらに抑制することができる。
【００８９】
なお、図１２において、一点鎖線は可動接点部２１０がハウジング１００内に押し込まれていない状態を示している。一方、二点鎖線は可動接点部２１０がハウジング１００内に最大変位量Ｄｍａｘだけ押し込まれている状態を示している。
【００９０】
（３）アセンブリ５００
次に、コネクタ３００と相手側基板４００とを結合したアセンブリ５００について説明する。まず相手側基板４００について説明する。
【００９１】
（３−１）相手側基板４００
図１３は相手側基板４００の斜視図である。図１４の（ａ）は相手側基板４００の正面図であり、（ｂ）は背面図、（ｃ）は右側面図、（ｄ）は左側面図、（ｅ）は上面図、（ｆ）は底面図である。
【００９２】
相手側基板４００の正面側には、樹脂材料からなる絶縁部４０３と、絶縁部４０３により仕切られた接触面４０１とが設けられている。絶縁部４０３は、接触面４０１を取り囲み電気的に絶縁された部分である。絶縁部４０３は樹脂などの絶縁材料で形成されている。接触面４０１は、絶縁部４０３に取り囲まれ、概ね四角形状の凹部からなる。接触面４０１では絶縁材料が除去されており、電気的に接続可能なように金属材料が露出している。図１３の相手側基板４００では、４つの接触面４０１が設けられている。図１３の４つの接触面４０１それぞれは、図１の４つの領域から突出した可動接点部２１０に対応している。なお、接触面４０１の形状は、可動接点部２１０との接触が可能な形状であれば、四角形状に限定されない。例えば円形状であってもよい。
【００９３】
相手側基板４００の底面側には、絶縁部４０３により取り囲まれた概ね円形状のランド４０５が設けられている。ランド４０５は、絶縁材料が除去されており、電気的に接続可能なように金属材料が露出している。ランド４０５は、例えば、相手側基板４００と他の電子部材との接続部分となる領域である。各ランド４０５は、相手側基板４００の正面側に設けられた接触面４０１それぞれと電気的に導通している。なお、接触面４０１の形状は、他の電子部材との接続が可能な形状であれば、円形状に限定されない。
【００９４】
（３−２）コネクタ３００と相手側基板４００との結合
次に、コネクタ３００と相手側基板４００とを結合したアセンブリ５００について説明する。図１５はアセンブリ５００をコネクタ３００の底面側から見た斜視図である。図１６はアセンブリ５００をコネクタ３００の上面側から見た斜視図である。図１７はアセンブリ５００の側面図である。
【００９５】
コネクタ３００の可動接点部２１０が突出した側と、相手側基板４００の接触面４０１が設けられた正面側とを対向させる。このとき、相手側基板４００の４つの接触面４０１それぞれを、コネクタ３００の可動接点部２１０が突出した４つの領域それぞれと対向させる。本実施形態例のコネクタ３００は２本の接続端子２００を１組としているため、１つの接触面４０１には２本の可動接点部２１０が対応する。
【００９６】
次に、コネクタ３００の可動接点部２１０の接触部２１５を接触面４０１により押圧するように、コネクタ３００と相手側基板４００とを所定距離まで近づける。このとき、可動接点部２１０はハウジング１００内に押し込まれる。よって、可動接点部２１０は延在部２０３からハウジング１００から押し出す方向の力を受ける。これにより、コネクタ３００の可動接点部２１０と相手側基板４００の接触面４０１との接触力が向上し、可動接点部２１０と接触面４０１との導通が確保される。
【００９７】
また、上述の通り、可動接点部２１０のＸ方向への移動が抑制されるため、可動接点部２１０と相手側基板４００とが接触する位置を厳密に定めることができる。その結果、コネクタ３００と相手側基板とを実装する際に、Ｘ方向の位置精度の許容範囲を広くとることができる。
【００９８】
（４）変形例
（４−１）
図１８は可動接点部２１０の対向辺部２１３の他の一例を示す拡大図である。上記実施形態では、対向辺部２１３は直線状に延在している。しかし、図１８に示すように対向辺部２１３は湾曲していてもよい。対向辺部２１３が湾曲した形状を有することで、可動接点部２１０の押し込み方向と交差する方向の断面における応力を、いずれの断面箇所においても概ね均等にすることができる。よって、可動接点部２１０の強度を高めることができる。
【００９９】
（４−２）
図１９は可動接点部２１０のガイド部２１１の他の一例を示す拡大図である。上記実施形態では、ガイド部２１１は鉛直方向に対して若干傾斜している。しかし、寸法公差等を考慮しない場合には、ガイド部２１１は例えば図１９に示すように鉛直方向に沿って延在していてもよい。つまり、ガイド部２１１は、係止受け部１０５の端面１０５ａに対して平行に形成されていてもよい。
【０１００】
このとき、可動接点部２１０は、接続端子２００がハウジング１００内に収容された場合に、ガイド部２１１が係止受け部１０５の端面１０５ａの近傍に位置するように配置されている。そして、可動接点部２１０は、延在部２０３から係止部２０７の上面が係止受け部１０５の下面に係止されるような力を受ける。よって、可動接点部２１０が押圧されていない状態において、図１９に示すようにガイド部２１１が係止受け部１０５の端面１０５ａに接触する。そして、ガイド部２１１が係止受け部１０５の端面１０５ａに接触した状態で、可動接点部２１０が係止受け部１０５の端面１０５ａに対して平行にハウジング１００内に押し込まれる。よって、上記実施形態例と同様に、可動接点部２１０の押し込み方向と交差する方向の動き、所謂ワイピングを抑制できる。
【０１０１】
ただし、上記実施形態例のようにガイド部２１１が鉛直方向に対して所定の傾斜角度θを有していると、可動接点部２１０をハウジング１００の接点孔１０７に挿入する際の抵抗が少なく挿入し易い。
【０１０２】
＜その他の実施形態例＞
（１）
接続端子２００の形状は上記実施形態例に示す接続端子２００に限定されない。接続端子２００の変形例の一例について以下に説明する。
【０１０３】
（１−１）１つの湾曲部２０８を有する接続端子２００
図２０は別の変形例に係る接続端子２００の斜視図である。図２１は（ａ）は図２０の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【０１０４】
接続端子２００は、固定部２０１、分岐部２０２、延在部２０３、係止部２０７、可動接点部２１０及び連結剛体部２２０を含む。上記実施形態例と同様の構成については説明を省略するか簡略化する。なお、本変形例では、上記実施形態例と異なり、規制連結部２０９は設けられていない。
【０１０５】
固定部２０１は、ハウジング１００の係止孔１１２に挿入される第１固定部２０１ａ及び固定挿入孔１１１に挿入される第２固定部２０１ｂを含む。
【０１０６】
第２固定部２０１ｂから分岐部２０２が延在している。分岐部２０２の一端からは第１延在部２０３ａと第２延在部２０３ｂが延在している。第１延在部２０３ａと第２延在部２０３ｂとは、スリット２０５を介して概ね平行に離隔して延在している。第１延在部２０３ａ及び第２延在部２０３ｂは、１つの湾曲部２０８を有している。湾曲部２０８は第２固定部２０１ｂ側に開口を有するように湾曲している。このような湾曲部２０８を有することにより、延在部２０３はしなやかな弾性を有する。
【０１０７】
係止部２０７は、分岐部２０２から延在する延在部２０３の他端である自由端に設けられている。連結剛体部２２０は、係止部２０７と可動接点部２１０とを連続的に連結する。
【０１０８】
可動接点部２１０は、ガイド部２１１、対向辺部２１３、基部２１４及び接触部２１５を有する。また、可動接点部２１０は、固定部２０１から延在する延在部２０３の自由端側に設けられている。より詳細には、可動接点部２１０は、接続端子２００がハウジング１００内に収容された場合に、ガイド部２１１が係止受け部１０５の端面１０５ａの近傍に位置するように配置されている。例えば、可動接点部２１０は、湾曲部２０８の最もふくらみを有する部分と第２固定部２０１ｂとの間に設けられている。また、湾曲部２０８のふくらみの程度及び延在部２０３の弾性力等にもよるが、例えば可動接点部２１０は、湾曲部２０８の最もふくらみを有する部分と第２固定部２０１ｂとの間において、第２固定部２０１ｂ側に設けられている。このような位置に可動接点部２１０が設けられることで、可動接点部２１０は、ハウジング１００内に押圧されていない場合には、延在部２０３から係止部２０７の上面が係止受け部１０５の下面に係止されるような力を受ける。また、可動接点部２１０は、ハウジング１００内に押圧された場合には、延在部２０３から係止部２０７側、つまり係止受け部１０５側に押し付けられる力を受ける。よって、可動接点部２１０のガイド部２１１と係止受け部１０５の端面１０５ａとが接触する（図１１参照）。
【０１０９】
上述の図２０及び図２１に示す接続端子２００は、１つの湾曲部２０８を有することにより、延在部２０３に弾性を与える。よって、接続端子２００がハウジング１００に収容された場合に、延在部２０３の弾性力により係止部２０７がハウジング１００の係止受け部１０５に係止される。また、可動接点部２１０がハウジング１００内に押圧された場合には、延在部２０３の弾性力により可動接点部２１０に押し出す力が与えられる。よって、可動接点部２１０と相手側基板４００との接触力を高めることができる。
【０１１０】
（１−２）３つの湾曲部２０８を有する接続端子２００
図２２はさらに別の変形例に係る接続端子２００の斜視図である。図２３は（ａ）は図２２の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【０１１１】
接続端子２００は、固定部２０１、分岐部２０２、延在部２０３、係止部２０７、規制連結部２０９、可動接点部２１０及び連結剛体部２２０を含む。上記実施形態例と同様の構成については説明を省略するか簡略化する。
【０１１２】
固定部２０１は、ハウジング１００の係止孔１１２に挿入される第１固定部２０１ａ及び固定挿入孔１１１に挿入される第２固定部２０１ｂを含む。
【０１１３】
第２固定部２０１ｂから分岐部２０２が延在している。分岐部２０２の一端からは第１延在部２０３ａと第２延在部２０３ｂが延在している。第１延在部２０３ａと第２延在部２０３ｂとは、スリット２０５を介して概ね平行に離隔して延在している。
【０１１４】
第１延在部２０３ａ及び第２延在部２０３ｂは、複数の湾曲部２０８を有している。具体的には、第１延在部２０３ａ及び第２延在部２０３ｂは、第１湾曲部２０８ａ、第２湾曲部２０８ｂ及び第３湾曲部２０８ｃを有する。第１湾曲部２０８ａ、第２湾曲部２０８ｂ及び第３湾曲部２０８ｃは、延在部２０３のうち概ね直線状の部分を除いた湾曲している部分である。第３湾曲部２０８ｃは、延在部２０３が分岐部２０２から最初に湾曲する部分であり、第２固定部２０１ｂ側に開口を有して概ねＵ字状に湾曲している。第２湾曲部２０８ｂは、延在部２０３が第３湾曲部２０８ｃの次に湾曲する部分であり、第３湾曲部２０８ｃの開口方向に対して反対側に開口を有する。つまり、第２湾曲部２０８ｂは、第２固定部２０１ｂと対向する側に開口を有して概ねＵ字状に湾曲している。第１湾曲部２０８ａは、延在部２０３が第２湾曲部２０８ｂの次に湾曲する部分であり、第３湾曲部２０８ｃの開口方向と同じ方向に開口を有して概ねＵ字状に湾曲している。これら３つの第１湾曲部２０８ａ、第２湾曲部２０８ｂ及び第３湾曲部２０８ｃを有することにより、延在部２０３は３か所において蛇行した形状を有している。このような湾曲部２０８を有することにより、延在部２０３はしなやかな弾性を有する。
【０１１５】
第１湾曲部２０８ａ、第２湾曲部２０８ｂ及び第３湾曲部２０８ｃは同程度の湾曲及びＸ方向の幅を有している。ただし第１湾曲部２０８ａ、第２湾曲部２０８ｂ及び第３湾曲部２０８ｃの湾曲の程度及びＸ方向の幅がそれぞれ異なっていても良い。
【０１１６】
規制連結部２０９は、第１延在部２０３ａと第２延在部２０３ｂとを連結する部材である。規制連結部２０９は、第１規制連結部２０９ａ及び第２規制連結部２０９ｂを含む。第１規制連結部２０９ａは、第１湾曲部２０８ａ及び第２湾曲部２０８ｂの間に設けられている。第２規制連結部２０９ｂは、第２湾曲部２０８ｂ及び第３湾曲部２０８ｃの間に設けられている。規制連結部２０９を設けることで、第１延在部２０３ａ及び第２延在部２０３ｂが連動して動くようにすることができる。よって、第１延在部２０３ａ及び第２延在部２０３ｂの動きを制御し易くなる。第１湾曲部２０８ａ及び第２湾曲部２０８ｂの間と、第２湾曲部２０８ｂ及び第３湾曲部２０８ｃの間は応力が掛かりにくい部分である。この部分にそれぞれ第１規制連結部２０９ａ及び第２規制連結部２０９ｂが設けられている。よって、第１規制連結部２０９ａ及び第２規制連結部２０９ｂへの応力を回避することができるとともに、第１延在部２０３ａ及び第２延在部２０３ｂの動きを制御し易くなる。
【０１１７】
係止部２０７は、分岐部２０２から延在する延在部２０３の他端である自由端に設けられている。連結剛体部２２０は、係止部２０７と可動接点部２１０とを連続的に連結する。
【０１１８】
可動接点部２１０は、ガイド部２１１、対向辺部２１３、基部２１４及び接触部２１５を有する。可動接点部２１０は、固定部２０１から延在する延在部２０３の自由端側に設けられている。より詳細には、可動接点部２１０は、接続端子２００がハウジング１００内に収容された場合に、ガイド部２１１が係止受け部１０５の端面１０５ａの近傍に位置するように配置されている。例えば、可動接点部２１０は、第１湾曲部２０８ａ及び第３湾曲部２０８ｃと第２固定部２０１ｂとの間に設けられている。また、延在部２０３の弾性力等にもよるが、例えば可動接点部２１０は、第１湾曲部２０８ａ及び第３湾曲部２０８ｃと第２固定部２０１ｂとの間において、第２固定部２０１ｂ側に設けられている。このような位置に可動接点部２１０が設けられることで、可動接点部２１０は、ハウジング１００内に押圧されていない場合には、延在部２０３から係止部２０７の上面が係止受け部１０５の下面に係止されるような力を受ける。また、可動接点部２１０は、ハウジング１００内に押圧された場合には、延在部２０３から係止部２０７側、つまり係止受け部１０５側に押し付けられる力を受ける。よって、可動接点部２１０のガイド部２１１と係止受け部１０５の端面１０５ａとが接触する（図１１参照）。
【０１１９】
上述の図２２及び図２３に示す接続端子２００は、３つの第１湾曲部２０８ａ、第２湾曲部２０８ｂ及び第３湾曲部２０８ｃを有することにより、延在部２０３に弾性を与える。よって、接続端子２００がハウジング１００に収容された場合に、延在部２０３の弾性力により係止部２０７がハウジング１００の係止受け部１０５に係止される。また、可動接点部２１０がハウジング１００内に押圧された場合には、延在部２０３の弾性力により可動接点部２１０に押し出す力が与えられる。よって、可動接点部２１０と相手側基板４００との接触力を高めることができる。
【０１２０】
（２）
上記実施形態では、コネクタ３００は２本の接続端子２００を１組として、相手側基板４００の接触面４０１と接触する。しかし、接続端子２００の数はこれに限定されず、３本以上の接続端子２００を１組として接触面４０１と接触してもよいし、１本の接続端子２００のみが接触面４０１と接触してもよい。
【０１２１】
また、上記実施形態では、図１に示すように接続端子２００は２本を１組として、ハウジング１００の４箇所から突出して形成されている。しかし、１つのハウジング１００から接続端子２００を突出させる箇所はこれに限定されない。例えば、１つのハウジング１００の１箇所、２箇所、３箇所又は５箇所以上から接続端子２００を突出させてもよい。また、前述と同様に、突出させる接続端子２００の１組の組み合わせ本数も２本には限定されない。
【０１２２】
（３）
上記実施形態では、延在部２０３は、２本の第１延在部２０３ａ及び第２延在部２０３ｂを含む。しかし、延在部２０３は１本の延在部のみから構成されてもよいし、３本以上の延在部から構成されてもよい。
【産業上の利用可能性】
【０１２３】
本発明の接続端子によればワイピング量を抑制することができるため、相手側基板と接続端子との接触の位置ずれを制御し、相手側基板と接続端子との実装時の位置精度の許容範囲を広げることが要求されるコネクタに有用である。
【符号の説明】
【０１２４】
１００        ハウジング    
１０５        係止受け部    
１０５ａ      端面   
１０７        接点孔
１１１        固定挿入孔    
１１２        係止孔 
２００        接続端子      
２０１        固定部 
２０２        分岐部 
２０３        延在部 
２０３ａ      第１延在部    
２０３ｂ      第２延在部    
２０５        スリット      
２０７        係止部 
２０８        湾曲部 
２０８ａ      第１湾曲部    
２０８ｂ      第２湾曲部    
２０９        規制連結部    
２１０        可動接点部    
２１１        ガイド部      
２１３        対向辺部      
２１４        基部   
２１５        接触部 
２２０        連結剛体部    
２２１        屈曲部 
３００        コネクタ      
４００        相手側基板    
４０１        接触面 
５００        アセンブリ    
【図１】
2015106468.tif 000003
【図２】
2015106468.tif 000004
【図３】
2015106468.tif 000005
【図４】
2015106468.tif 000006
【図５】
2015106468.tif 000007
【図６】
2015106468.tif 000008
【図７】
2015106468.tif 000009
【図８】
2015106468.tif 000010
【図９】
2015106468.tif 000011
【図１０】
2015106468.tif 000012
【図１１】
2015106468.tif 000013
【図１２】
2015106468.tif 000014
【図１３】
2015106468.tif 000015
【図１４】
2015106468.tif 000016
【図１５】
2015106468.tif 000017
【図１６】
2015106468.tif 000018
【図１７】
2015106468.tif 000019
【図１８】
2015106468.tif 000020
【図１９】
2015106468.tif 000021
【図２０】
2015106468.tif 000022
【図２１】
2015106468.tif 000023
【図２２】
2015106468.tif 000024
【図２３】
2015106468.tif 000025
【図２４】
2015106468.tif 000026
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
接点孔及び前記接点孔に隣接する係止受け部を有するハウジングと、
前記ハウジングに収容される接続端子と、
を備え、
前記接続端子は、
前記ハウジングに固定される固定部と、
一端が前記固定部から湾曲して延在し、弾性を有する延在部と、
前記ハウジングの接点孔の外部から押圧可能に突出し、押圧方向に沿って延在するガイド部を有し、前記接点孔に面する前記係止受け部の端面と、前記ガイド部とが、前記接点孔の外部から最大変位量で押圧される前に接触する可動接点部と、
前記延在部の他端に連結され、前記可動接点部が押圧されていない状態において前記ハウジングの係止受け部に係止される係止部と、
前記係止部と前記可動接点部とを連結する連結剛体部と、
を含む、コネクタ。
【請求項２】
前記ガイド部と前記係止受け部の端面とが接触した後、前記可動接点部は、前記ガイド部が前記係止受け部の端面と接触したまま押し込まれる、請求項１に記載のコネクタ。
【請求項３】
前記ガイド部と前記係止受け部の端面との接触領域は直線状である、請求項２に記載のコネクタ。
【請求項４】
前記ハウジングの係止受け部の端面と前記可動接点部のガイド部とは、前記可動接点部の押し込み方向への変位が前記最大変位量の１／５に至るまでに接触する、請求項１に記載のコネクタ。
【請求項５】
前記ハウジングの係止受け部の端面と前記可動接点部のガイド部とは、前記可動接点部の押し込み方向への変位が前記最大変位量の１／１０に至るまでに接触する、請求項４に記載のコネクタ。
【請求項６】
前記可動接点部が押圧されていない状態において、前記ハウジングの係止受け部の端面と前記可動接点部の前記ガイド部とは接触するように配置される、請求項１に記載のコネクタ。
【請求項７】
前記係止部は、前記延在部の自由端側に設けられた前記連結剛体部に対して前記固定部とは反対側に延在しており、前記可動接点部が押圧されていない状態において前記ハウジングの係止受け部に係止される、請求項１に記載のコネクタ。
【請求項８】
前記連結剛体部の強度は前記延在部の強度よりも強い、請求項１に記載のコネクタ。
【請求項９】
前記連結剛体部の幅は前記延在部の幅よりも広い、請求項８に記載のコネクタ。
【請求項１０】
前記可動接点部は、前記ハウジングの接点孔から外部に突出する方向において、前記ガイド部の先端に設けられた接触部をさらに含む、請求項１に記載のコネクタ。
【請求項１１】
前記可動接点部は、前記ガイド部に対向し、先端に行くほど前記ガイド部との距離が狭まる対向辺部をさらに含む、請求項１に記載のコネクタ。
【請求項１２】
前記対向辺部は湾曲した形状である、請求項１１に記載のコネクタ。
【請求項１３】
前記延在部は、互いに離隔して湾曲する複数本の延在部からなる、請求項１に記載のコネクタ。
【請求項１４】
前記延在部は、開口方向が異なる方向の第１湾曲部及び第２湾曲部を含み、
前記第１湾曲部と前記第２湾曲部との間において、複数本の延在部どうしが規制連結部によって連結されている、請求項１３に記載のコネクタ。
【手続補正２】
【補正対象書類名】明細書
【補正対象項目名】全文
【補正方法】変更
【補正の内容】
【発明の詳細な説明】
【技術分野】
【０００１】
本発明は、接続端子がハウジングに組みこまれているコネクタに関する。
【背景技術】
【０００２】
特許文献１には、応力集中が生じにくい接続端子３０が組みこまれたコネクタが開示されている。図２４（ａ）、（ｂ）は、特許文献１の接続端子３０の断面図である。図２４に示すように、特許文献１の接続端子３０は、支持部３２と、分岐部３３と、延在部３４と、可動接点部３６と、位置規制用突部３７とを備える。分岐部３３は、支持部３２の一端に設けられている。延在部３４は、支持部３２の先端から湾曲して延在する。延在部３４は、互いに概ね平行に離隔して蛇行する第１、第２、第３延在部３４ａ、３４ｂ、３４ｃを含む。可動接点部３６は、第１、第２、第３延在部３４ａ、３４ｂ、３４ｃを一体化した先端に設けられている。位置規制用突部３７は、第１延在部３４ａの先端から、第１延在部３４ａの湾曲した開口外側に向かって突出している。ハウジング１０には、可動接点部３６が突出可能な接点孔１４と、接点孔１４の一方に配置された位置規制用受け部１７とが設けられている。
【０００３】
可動接点部３６がハウジング１０内に押し込まれる前においては、図２４（ａ）に示すように位置規制用突部３７が位置規制用受け部１７に係止している。可動接点部３６がハウジング１０内に押し込まれると、可動接点部３６は図２４（ｂ）の状態に移動する。つまり、可動接点部３６が押し込まれる前においては、図２４（ａ）に示すように位置規制用突部３７が位置規制用受け部１７に係止しており、可動接点部３６は位置規制用受け部１７と離隔している。そして、可動接点部３６がハウジング１０内に最大に押し込まれると、図２４（ｂ）に示すように、可動接点部３６と位置規制用受け部１７とが接触する。
【先行技術文献】
【特許文献】
【０００４】
【特許文献１】特許第４８８３２１５号明細書
【発明の概要】
【発明が解決しようとする課題】
【０００５】
特許文献１の接続端子３０では、延在部３４が複数の第１、第２、第３延在部３４ａ、３４ｂ、３４ｃで構成されているため、応力集中が生じにくい。しかし、可動接点部３６を押し込む場合、図２４（ａ）及び図２４（ｂ）に示すように可動接点部３６が位置規制用受け部１７に向かって移動する。このような移動を所謂ワイピングと称する。一般的にはワイピングは接続端子３０及び相手側基板の表面に発生した酸化皮膜を削り取り、接触信頼性を高める目的で利用される。しかし、ワイピング量が大きくなると、接続端子３０と相手側基板との結合時に接触のずれ量が大きくなり相手側基板の接触面の面積を大きくとらないと接触不良が生じ易い。
【０００６】
そこで、本発明は、接触不良を抑制するためにワイピング量を制御することができるコネクタを提供することを目的とする。
【課題を解決するための手段】
【０００７】
本発明の一態様に係るコネクタは、ハウジングと、接続端子とを備える。ハウジングは、接点孔及び接点孔に隣接する係止受け部を有する。接続端子は、ハウジングに収容される。ここで、接続端子は、固定部と、延在部と、可動接点部と、係止部と、連結剛体部とを含む。固定部は、ハウジングに固定される。延在部は、一端が固定部から湾曲して延在し、弾性を有する。可動接点部は、ハウジングの接点孔の外部から押圧可能に突出する。また、可動接点部は、押圧方向に沿って延在するガイド部を有し、接点孔に面する係止受け部の端面と、ガイド部とが、接点孔の外部から最大変位量で押圧される前に接触する。係止部は、延在部の他端に連結され、可動接点部が押圧されていない状態においてハウジングの係止受け部に係止される。連結剛体部は、係止部と可動接点部とを連結する。
【０００８】
上記構成によれば、可動接点部のガイド部は、可動接点部がハウジング内に最大変位量で押圧される前に、ハウジングの接点孔に面する係止受け部の端面に接触する。
【０００９】
例えば、ガイド部は、係止受け部の端面に対して平行ではなく、基部から先端に向かって係止受け部から離れる側に所定の傾斜を有して形成され得る。この場合には、可動接点部が押圧されていない状態において、ガイド部とハウジングの係止受け部の端面との間には所定の隙間があり得る。そして、可動接点部が所定距離分だけハウジング内に押し込まれると、延在部からの係止受け部側に押し付ける力によって、ガイド部がハウジングの係止受け部の端面に接触し得る。その後、傾斜したガイド部と係止受け部の端面とが接触した状態で可動接点部がハウジング内に押し込まれる。よって、ガイド部の傾斜角度及び最大変位量等に応じて可動接点部の移動量、つまりワイピング量を抑制するように制御することができる。そのため、可動接点部がワイピングすることによる、可動接点部と相手側基板との接触不良を抑制することができる。例えば、可動接点部のワイピング量を小さくするにはガイド部の傾斜角度を小さくする。逆に、可動接点部のワイピング量を大きくするにはガイド部の傾斜角度を大きくする。
【００１０】
また、ガイド部の係止受け部側の端面は、係止受け部の端面に対して平行に、鉛直方向に沿って延在していてもよい。この場合には、可動接点部が押圧されていない状態において、ガイド部とハウジングの係止受け部の端面とは接触している。可動接点部がハウジング内に押し込まれた場合においても、その接触状態が維持される。よって、前述と同様にワイピング量を抑制するように制御することができる。
【００１１】
また、可動接点部がハウジングから最大で突出している状態において、延在部は弾性変形してハウジング内に収納されている。よって、可動接点部は、延在部からハウジングの接点孔から突出する方向に押し出す力を受けている。そして、可動接点部が相手側基板により押し込まれた場合には、可動接点部は延在部からさらに大きな押し出す力を受ける。そのため、可動接点部と相手側基板との接触力を高めることができる。
【００１２】
また、可動接点部がハウジングから突出する長さ及び延在部の弾性力等を調整することで、可動接点部の押し込み方向のストローク量を調整することができる。
【００１３】
好ましくは、ガイド部と係止受け部の端面とが接触した後、可動接点部は、ガイド部が係止受け部の端面と接触したまま押し込まれる。
【００１４】
傾斜したガイド部と係止受け部の端面とが接触した状態で可動接点部がハウジング内に押し込まれる。よって、ガイド部の傾斜角度及び最大変位量等に応じて可動接点部の移動量、つまりワイピング量を抑制するように制御することができる。
【００１５】
好ましくは、ガイド部と係止受け部の端面との接触領域は直線状である。よって、ガイド部の係止受け部側の端面と、係止受け部の端面とが密着する。このような密着した状態で可動接点部がハウジング内に押し込まれるため、上述の通りワイピング量を抑制するように制御することができる。
【００１６】
好ましくは、ハウジングの係止受け部の端面と可動接点部のガイド部とは、可動接点部の押し込み方向への変位が最大変位量の１／５に至るまでに接触する。
【００１７】
可動接点部をハウジング内に押し込んだ場合に、最大変位量の１／５に至るまでにハウジングの係止受け部の端面と可動接点部のガイド部とが接触する。この場合、ガイド部の係止受け部の端面に対する傾斜角度が小さく設定されており、可動接点部をハウジング内に押し込んだ場合にすぐに、ハウジングの係止受け部の端面と可動接点部のガイド部とが接触する。これにより、可動接点部のワイピング量を抑制することができる。
【００１８】
好ましくは、ハウジングの係止受け部の端面と可動接点部のガイド部とは、可動接点部の押し込み方向への変位が、最大変位量の１／１０に至るまでに接触する。
【００１９】
可動接点部をハウジング内に押し込んだ場合に、最大変位量の１／１０に至るまでにハウジングの係止受け部の端面と可動接点部のガイド部とが接触する。ガイド部の係止受け部の端面に対する傾斜角度は、最大変位量の１／５に至るまでに係止受け部の端面とガイド部とが接触する場合よりもさらに小さく設定されている。よって、可動接点部のワイピング量をさらに抑制することができる。
【００２０】
好ましくは、可動接点部が押圧されていない状態において、ハウジングの係止受け部の端面と可動接点部のガイド部とは接触するように配置される。なお、「接触するように配置される」とは、必ずしも接触していることを意味するものでは無く、部品間の寸法公差に相当する分の隙間は許容される。具体的には、寸法公差に相当する分の隙間とは、０．１ｍｍ以下であり、さらに可動接点部を寸法公差分押し込んだ時点では係止受け部の端面とガイド部とが接触するように構成されていることを意味する。
【００２１】
係止受け部の端面とガイド部とが接触しており、その状態のまま可動接点部がハウジング内に押し込まれるため、ワイピング量を抑制することができる。
【００２２】
好ましくは、係止部は、延在部の自由端側に設けられた連結剛体部に対して固定部とは反対側に延在しており、可動接点部が押圧されていない状態においてハウジングの係止受け部に係止される。
【００２３】
係止部は、延在部の延在方向に沿って延在するため、延在部の弾性を効率よく利用することができる。また、係止部は、延在部の先端に位置するため、延在部からの弾性力を受けて係止部を係止受け部に安定して係止することができる。
【００２４】
好ましくは、連結剛体部の強度は延在部の強度よりも強い。
【００２５】
連結剛体部の強度は延在部の強度よりも強いため、逆に連結剛体部の弾性は延在部の弾性よりも小さい。連結剛体部には可動接点部が連結されているが、連結剛体部の弾性が小さいため、可動接点部が連結剛体部に安定して固定される。よって、連結剛体部の弾性による可動接点部のワイピングを抑制することができる。
【００２６】
好ましくは、連結剛体部の幅は延在部の幅よりも広い。
【００２７】
連結剛体部の幅は延在部の幅よりも広いため、連結剛体部の強度を延在部の強度よりも強くできる。よって、連結剛体部の弾性による可動接点部のワイピングを抑制することができる。ただし、連結剛体部の幅を大きくしすぎると延在部の弾性が失われるため、延在部の弾性を失わせない程度に連結剛体部の幅が調整される。
【００２８】
好ましくは、可動接点部は、ハウジングの接点孔から外部に突出する方向において、ガイド部の先端に設けられた接触部をさらに含む。
【００２９】
接触部は可動接点部の中でも小さく形成されており、この接触部と相手側基板とが接触するため、相手側基板と接触部との接触面積は小さい。ここで、接続端子とハウジングとの間、コネクタと相手側基板との間等において、嵌合ずれ及び実装ずれが生じ得る。しかし、相手側基板と接触部との接触面積が小さく、接触部の相手側基板内でのずれ量が小さいため、ＸＹ方向のずれがある場合でも接触部と相手側基板との間での接触が維持される。よって、コネクタ等の嵌合工程及び実装工程でのずれによる接触不良の影響を抑制することができる。
【００３０】
好ましくは、可動接点部は、ガイド部に対向し、先端に行くほどガイド部との距離が狭まる対向辺部をさらに含む。
【００３１】
可動接点部は、ガイド部と対向辺部とを有し、先端に行くほどガイド部と対向辺部との距離が狭まる形状を有している。よって、ハウジングの接点孔から可動接点部を挿入し易い。
【００３２】
好ましくは、対向辺部は湾曲した形状である。
【００３３】
対向辺部が湾曲した形状を有することで、可動接点部の押し込み方向と交差する方向の断面における応力を、いずれの断面箇所においても概ね均等にすることができる。よって、可動接点部の強度を高めることができる。
【００３４】
好ましくは、延在部は、互いに離隔して湾曲する複数本の延在部からなる。
【００３５】
延在部が複数本の延在部からなるため、延在部の弾性力を強くすることができる。よって、係止部をハウジングの係止受け部に安定して係止することができるとともに、可動接点部と相手側基板との接触力を確保することができる。
【００３６】
好ましくは、延在部は、開口方向が異なる方向の第１湾曲部及び第２湾曲部を含む。第１湾曲部と第２湾曲部との間において、複数本の延在部どうしが規制連結部によって連結されている。
【００３７】
規制連結部は、第１湾曲部と第２湾曲部との間において、複数本の延在部どうしを連結する。よって、複数本の延在部が連動して動くようにすることができる。そのため、複数本の延在部の動きを制御し易くなる。規制連結部が設けられていない場合には、例えば、複数本の延在部が別々に動き、互いに重なる等して動きの制御が困難となり得る。また、第１湾曲部と第２湾曲部との間は応力が掛かりにくい部分であり、この部分に規制連結部を設けることで、規制連結部への応力を回避することができるとともに、複数本の延在部の動きを制御し易くなる。
【発明の効果】
【００３８】
本発明によれば、接触不良を抑制するためにワイピング量を制御することができるコネクタを提供することができる。
【図面の簡単な説明】
【００３９】
【図１】本発明の一実施形態例に係るコネクタ３００の斜視図である。
【図２】可動接点部２１０の突出方向から見た図１のコネクタ３００の上面図である。
【図３】コネクタ３００の側面図である。
【図４】可動接点部２１０の突出方向とは反対の裏面側から見たコネクタ３００の底面図である。
【図５】図２におけるＡ−Ａ断面図である。
【図６】接続端子２００の斜視図である。
【図７】（ａ）は接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【図８】（ａ）は、延在部２０３が押圧されていない状態を示す正面図であり、（ｂ）は延在部２０３がハウジング１００内に収容されている状態を示す正面図である。
【図９】（ａ）は接続端子２００が押圧されることなくハウジング１００内に収容されている様子を示す断面図であり、（ｂ）は可動接点部２１０がハウジング１００内に最大に押し込まれている様子を示す断面図である。
【図１０】図９（ａ）における接続端子２００の可動接点部２１０と係止受け部１０５との関係を示す拡大図である。
【図１１】可動接点部２１０の押し込み方向への変位が最大変位量の１／５の場合における、可動接点部２１０と係止受け部１０５との関係を示す拡大図である。
【図１２】可動接点部２１０の押し込み方向への変位が最大変位量の１／１０の場合における、可動接点部２１０と係止受け部１０５との関係を示す拡大図である。
【図１３】相手側基板４００の斜視図である。
【図１４】（ａ）は相手側基板４００の正面図であり、（ｂ）は背面図、（ｃ）は右側面図、（ｄ）は左側面図、（ｅ）は上面図、（ｆ）は底面図である。
【図１５】アセンブリ５００をコネクタ３００の底面側から見た斜視図である。
【図１６】アセンブリ５００をコネクタ３００の上面側から見た斜視図である。
【図１７】アセンブリ５００の側面図である。
【図１８】可動接点部２１０の対向辺部２１３の他の一例を示す拡大図である。
【図１９】可動接点部２１０のガイド部２１１の他の一例を示す拡大図である。
【図２０】別の変形例に係る接続端子２００の斜視図である。
【図２１】（ａ）は図２０の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【図２２】さらに別の変形例に係る接続端子２００の斜視図である。
【図２３】（ａ）は図２２の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【図２４】（ａ）、（ｂ）は、特許文献１の接続端子３０の断面図である。
【発明を実施するための形態】
【００４０】
＜実施形態例＞
以下、図面を参照しながら、本発明の実施形態例について説明する。なお、以下の実施形態例は、本発明の具体例であって、本発明の技術的範囲を限定するものではない。
【００４１】
（１）コネクタ３００の構成
（１−１）コネクタ３００の全体構成
図１は、本発明の一実施形態例に係るコネクタ３００の斜視図である。図２は、可動接点部２１０の突出方向から見た図１のコネクタ３００の上面図である。図３はコネクタ３００の側面図であり、図４は可動接点部２１０の突出方向とは反対の裏面側から見たコネクタ３００の底面図である。
【００４２】
本発明の実施形態例に係るコネクタ３００は、ハウジング１００及び接続端子２００を含む。ハウジング１００は、図１に示すように、接続端子２００を収容可能なように例えば、内部が空洞であり下部が開口した箱状の形状を有している。接続端子２００は、ハウジング１００内に収容され、ハウジング１００の接点孔１０７から押圧可能に突出する可動接点部２１０を有する。
【００４３】
本実施形態例のコネクタ３００では、一例として、２本の接続端子２００ａ、２００ｂを１組として、４つの領域から可動接点部２１０が突出している。２本の接続端子２００を１組として相手側基板４００（図１３）と接触するため、１本の接続端子２００により相手側基板４００と接触する場合よりも接触不良を抑制することができる。
【００４４】
なお、接続端子２００は板状面に沿う形状を有している。この板状面に沿う方向を以下ではＸ方向とし、Ｘ方向と概ね９０°に交差する方向をＹ方向とする。つまり、図１〜図４に示すように、接続端子２００はＹ方向の厚みがＸ方向の幅よりも十分に小さく、Ｘ方向に沿う形状を有している。また、接続端子２００の可動接点部２１０がハウジング１００から突出する方向を上面方向又は上面とし、上面の反対側方向を底面方向又は底面とする。
【００４５】
（１−２）ハウジング１００
次に、ハウジング１００の構成について以下に説明する。図５は、図２におけるＡ−Ａ断面図である。図５のＡ−Ａの断面図では、第２壁１０３を中心として２つの接続端子２００が左右対称に隣接している。同様の構成であるので、図５中、左側の接続端子２００及びその接続端子２００が収容されているハウジング１００のみについて説明する。
【００４６】
ハウジング１００は、図５に示すように所定の厚みを有した第１壁１０１及び第２壁１０３を含む。第１壁１０１は、ハウジング１００の外壁の一部となる。第２壁１０３は、Ｘ方向に隣接する接続端子２００それぞれが収容される空間を仕切る。
【００４７】
ハウジング１００の上面近傍には、挿入壁１０９及び係止受け部１０５が設けられている。挿入壁１０９は、第１壁１０１に隣接して設けられている。この挿入壁１０９と第１壁１０１との間の開口により固定挿入孔１１１が形成されている。後述の接続端子２００の第２固定部２０１ｂの先端が固定挿入孔１１１に挿入される。
【００４８】
係止受け部１０５は、概ね一定の厚みを有しており、第２壁１０３に対して概ね直角の角度を有して第２壁１０３から延在している。係止受け部１０５と挿入壁１０９との間には接点孔１０７が形成されている。この接点孔１０７からは、接続端子２００の可動接点部２１０が押圧可能に突出する。挿入壁１０９の上面と係止受け部１０５の上面とは面一となっており、ハウジング１００の上面の一部を構成している。
【００４９】
ハウジング１００の底面近傍には、図１、図５に示すように、接続端子２００の第１固定部２０１ａが挿入される係止孔１１２が設けられている。
【００５０】
（１−３）接続端子２００
次に、接続端子２００の構成について図５〜図８を用いて以下に説明する。図６は接続端子２００の斜視図である。図７は（ａ）は接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。図８の（ａ）は、延在部２０３が押圧されていない状態を示す正面図であり、（ｂ）は延在部２０３がハウジング１００内に収容されている状態を示す正面図である。
【００５１】
接続端子２００は、固定部２０１、分岐部２０２、延在部２０３、係止部２０７、規制連結部２０９、可動接点部２１０及び連結剛体部２２０を含む。図６に示すように、固定部２０１、分岐部２０２、延在部２０３、係止部２０７、規制連結部２０９、可動接点部２１０及び連結剛体部２２０は、Ｘ方向の板状面に沿うように連結されている。つまり、接続端子２００のＹ方向の厚みは、Ｘ方向の厚みに比べて十分に小さい。
【００５２】
（ａ）固定部２０１
固定部２０１は、第１固定部２０１ａ及び第２固定部２０１ｂを含む。第１固定部２０１ａは、ハウジング１００の底面の係止孔１１２に挿入される。また、第１固定部２０１ａの底部は、図５に示すように、他の基板と接触可能なように所定距離だけハウジング１００の底面から突出している。第２固定部２０１ｂは、第１固定部２０１ａの所定箇所から概ね直角に上方に向かって突出している。第２固定部２０１ｂは、ハウジング１００の第１壁１０１に沿って挿入され、その先端が固定挿入孔１１１に挿入される。このように、固定部２０１は、第１固定部２０１ａがハウジング１００の係止孔１１２に挿入され、第２固定部２０１ｂが第１壁１０１に沿って固定挿入孔１１１に挿入されることでハウジング１００に固定される。これにより、接続端子２００がハウジング１００に固定される。
【００５３】
（ｂ）分岐部２０２、延在部２０３
第２固定部２０１ｂのうち第１固定部２０１ａ近傍から第１壁１０１とは反対側に分岐部２０２が突出して設けられている。分岐部２０２からは、弾性を有する２つの延在部２０３が分岐、湾曲しながら延在している。延在部２０３は、第１延在部２０３ａ及び第２延在部２０３ｂを含む。第１延在部２０３ａと第２延在部２０３ｂとは、スリット２０５を介して概ね平行に離隔して延在している。スリット２０５の幅は、第１延在部２０３ａと第２延在部２０３ｂとが接触しない大きさとなっている。
【００５４】
第１延在部２０３ａ及び第２延在部２０３ｂは、湾曲部２０８を有している。具体的には、図５、図６に示すように、第１延在部２０３ａ及び第２延在部２０３ｂは、第１湾曲部２０８ａ及び第２湾曲部２０８ｂを有する。第１湾曲部２０８ａ及び第２湾曲部２０８ｂは、延在部２０３のうち概ね直線状の部分を除いた湾曲している部分である。第２湾曲部２０８ｂは、延在部２０３が分岐部２０２から最初に湾曲する部分であり、第２固定部２０１ｂ側に開口を有して概ねＵ字状に湾曲している。第１湾曲部２０８ａは、延在部２０３が第２湾曲部２０８ｂの次に湾曲する部分であり、第２湾曲部２０８ｂの開口方向に対して反対側に開口を有する。つまり、第１湾曲部２０８ａは、第２固定部２０１ｂと対向する第２壁１０３側に開口を有して概ねＵ字状に湾曲している。これら２つの第１湾曲部２０８ａ及び第２湾曲部２０８ｂを有することにより、延在部２０３は２か所において蛇行した形状を有している。このような湾曲部２０８を有することにより、延在部２０３は上面方向から押圧された場合にしなやかな弾性を有する。そして、可動接点部２１０が押圧された場合に延在部２０３はその弾性により押し縮められる。また、逆に可動接点部２１０の押圧が解放された場合には、延在部２０３はその弾性により可動接点部２１０を上方に押し上げる。
【００５５】
第１湾曲部２０８ａ及び第２湾曲部２０８ｂは同程度の湾曲及びＸ方向の幅を有している。ただし、第１湾曲部２０８ａ及び第２湾曲部２０８ｂの湾曲の程度及びＸ方向の幅がそれぞれ異なっていても良い。
【００５６】
また、上述の通り、延在部２０３は互いに離隔した複数本の第１延在部２０３ａ及び第２延在部２０３ｂを含む。よって、１本の延在部２０３の場合よりも延在部２０３の弾性力を強くすることができる。そのため、係止部２０７をハウジング１００の係止受け部１０５に安定して係止することができるとともに、可動接点部２１０と相手側基板４００との接触力を確保することができる。
【００５７】
（ｃ）規制連結部２０９
規制連結部２０９は、第１延在部２０３ａと第２延在部２０３ｂとを連結する部材である。規制連結部２０９は、第１湾曲部２０８ａと第２湾曲部２０８ｂとの間に設けられている。つまり、規制連結部２０９は、第１湾曲部２０８ａと第２湾曲部２０８ｂとの間の概ね直線状の部分に設けられている。規制連結部２０９を設けることで、第１延在部２０３ａ及び第２延在部２０３ｂが連動して動くようにすることができる。よって、第１延在部２０３ａ及び第２延在部２０３ｂの動きを制御し易くなる。規制連結部２０９が設けられていない場合には、例えば、第１延在部２０３ａ及び第２延在部２０３ｂが別々に動き、互いに重なる等して動きの制御が困難となり得る。
【００５８】
また、可動接点部２１０を上方からハウジング１００内に押し込んだ場合に、延在部２０３の中でも大きな弾性力を有する第１湾曲部２０８ａ及び第２湾曲部２０８ｂに応力が掛かる。言い換えれば、第１湾曲部２０８ａと第２湾曲部２０８ｂとの間は応力が掛かりにくい部分である。この部分に規制連結部２０９を設けることで、規制連結部２０９への応力を回避するとともに、第１延在部２０３ａ及び第２延在部２０３ｂの動きを制御し易くなる。
【００５９】
（ｄ）係止部２０７
係止部２０７は、分岐部２０２から延在する延在部２０３の他端である自由端に設けられている。係止部２０７は、図５に示すように、接続端子２００の可動接点部２１０が押圧されていない状態において、ハウジング１００の係止受け部１０５に係止される。具体的には、係止部２０７の上面が係止受け部１０５の下面に係止される。係止部２０７は、延在部２０３の自由端側に設けられた連結剛体部２２０に対して第１湾曲部２０８ａとは反対側に配置される。つまり、延在部２０３は、第１湾曲部２０８ａから係止受け部１０５に向かって延在しているが、係止部２０７は延在部２０３の終端方向に向って延びる形状を有している。このように、係止部２０７は延在部２０３の終端方向に向って延在するため、延在部２０３の弾性を効率よく利用することができる。また、係止部２０７は、延在部２０３の終端に設けられているため、延在部２０３からの弾性力を受けて係止部２０７を係止受け部１０５に安定して係止することができる。言い換えれば、係止部２０７は、延在部２０３の弾性を効率よく利用した形状及び配置となっている。
【００６０】
ここで、図８の（ａ）は、延在部２０３が押圧されていない状態を示し、（ｂ）は延在部２０３がハウジング１００内に収容されている状態を示す。図８の（ａ）、（ｂ）に示すように、延在部２０３がハウジング１００内に収容されると（図８の（ｂ）参照）、延在部２０３が押圧されておらず自由長の状態にある場合（図８の（ａ）参照）よりも押込長さＬｄ分だけ延在部２０３が押し縮められる。よって、図５に示すように接続端子２００がハウジング１００内に収容されると、押し縮められた押込長さＬｄ分に相当する弾性力により係止部２０７が係止受け部１０５を押圧する。これにより、前述の通り、係止部２０７は、延在部２０３からの弾性力を受けて係止受け部１０５に安定して係止される。
【００６１】
（ｅ）連結剛体部２２０
連結剛体部２２０は、係止部２０７と可動接点部２１０とを連続的に連結する。具体的には、連結剛体部２２０は、可動接点部２１０の基部２１４近傍であり、かつ係止部２０７側に位置する部分である。言い換えれば、可動接点部２１０と第２延在部２０３ｂとの間には屈曲部２２１が設けられているが、この屈曲部２２１の開口の底部近傍に連結剛体部２２０が設けられている。
【００６２】
連結剛体部２２０の強度は延在部２０３の強度よりも強い。言い換えれば、連結剛体部２２０の弾性は延在部２０３の弾性よりも小さい。連結剛体部２２０には可動接点部２１０が連結されているが、連結剛体部２２０の弾性が小さいため、可動接点部２１０が連結剛体部２２０に安定して固定される。さらに言い換えれば、屈曲部２２１の弾性力は、延在部２０３の第１湾曲部２０８ａ及び第２湾曲部２０８ｂの弾性力よりも小さい。よって、連結剛体部２２０の弾性及び／又は屈曲部２２１の弾性による可動接点部２１０のワイピングを抑制することができる。
【００６３】
また、後述の図１０に示すように、連結剛体部２２０の最も狭い部分の幅Ｗｃは、第１延在部２０３ａの幅Ｗａ及び第２延在部２０３ｂの幅Ｗｂよりも広い。よって、連結剛体部２２０の強度は第１延在部２０３ａ及び第２延在部２０３ｂの強度よりも強い。そのため、連結剛体部２２０の弾性による可動接点部２１０のワイピングを抑制することができる。
【００６４】
ただし、連結剛体部２２０の幅Ｗｃを大きくしすぎると延在部２０３の弾性が失われるため、延在部２０３の弾性を失わせない程度に連結剛体部２２０の幅Ｗｃが調整される。
【００６５】
（ｆ）可動接点部２１０
可動接点部２１０は、固定部２０１から延在する延在部２０３の自由端側に設けられている。より具体的には、可動接点部２１０は、連結剛体部２２０を介して、延在部２０３の自由端に設けられた係止部２０７と連結されている。
【００６６】
可動接点部２１０は、ハウジング１００の接点孔１０７の外部から押圧可能に突出する部材である。可動接点部２１０の押圧方向は、概ね、ハウジング１００の第１壁１０１の鉛直方向、つまり、第２固定部２０１ｂの延在方向に沿った方向である。
【００６７】
可動接点部２１０は、第２固定部２０１ｂと、延在部２０３の自由端の終端に設けられた係止部２０７との間に設けられている。より詳細には、可動接点部２１０は、接続端子２００がハウジング１００内に収容された場合に、可動接点部２１０のガイド部２１１が係止受け部１０５の接点孔１０７に面する端面１０５ａ（図１０参照）の近傍に位置するように配置されている。また、可動接点部２１０は、ハウジング１００内に押圧された場合には、延在部２０３から係止部２０７側、つまり係止受け部１０５側に押し付けられる力を受ける。よって、後述のように、可動接点部２１０のガイド部２１１と係止受け部１０５の端面１０５ａとが接触する（図１１参照）。
【００６８】
可動接点部２１０は、ガイド部２１１、対向辺部２１３、基部２１４及び接触部２１５を有する。可動接点部２１０はＸ方向に沿う板状の形状を有している。また、可動接点部２１０の板状面は、係止部２０７から離れる先端側ほど、ガイド部２１１と対向辺部２１３との距離が狭まる概ね台形形状を有している。ガイド部２１１は、係止受け部１０５側に面しており、押圧方向に沿って直線状に延在する。ガイド部２１１は、基部２１４から接触部２１５の方向に向って係止受け部１０５から離れる側に若干傾斜している。ガイド部２１１が所定の傾斜を有していると、可動接点部２１０をハウジング１００の接点孔１０７に挿入する際の抵抗が少なく挿入し易い。ガイド部２１１の傾斜については後述する。
【００６９】
対向辺部２１３は、ガイド部２１１に対向して、係止受け部１０５とは反対側の固定挿入孔１１１側に面して直線状に延在している。対向辺部２１３は基部２１４から接触部２１５の方向に向って係止受け部１０５に向かう側に傾斜している。例えば、対向辺部２１３の鉛直方向に対する傾斜角度は、ガイド部２１１の傾斜角度よりも大きい。ガイド部２１１の傾斜及び対向辺部２１３の傾斜によって、可動接点部２１０は先端に行くほどガイド部２１１と対向辺部２１３との距離が狭まる。よって、可動接点部２１０を接点孔１０７に挿入する際の抵抗が少なく挿入し易い。
【００７０】
基部２１４は、可動接点部２１０の底面方向に位置し、可動接点部２１０の底部となる。この基部２１４と、第２延在部２０３ｂの係止部２０７側の終端近傍との間により屈曲部２２１が形成される。
【００７１】
接触部２１５は、基部２１４よりもＸ方向の幅が狭く、ハウジング１００の接点孔１０７から外部に突出する方向において、ガイド部２１１の先端に設けられている。接触部２１５は可動接点部２１０の中でも小さく形成されており、この接触部２１５と相手側基板４００とが接触するため、相手側基板４００と接触部２１５との接触面積は小さい。ここで、接続端子２００とハウジング１００との間、コネクタ３００と相手側基板４００との間等において、嵌合ずれ及び実装ずれが生じ得る。しかし、可動接点部２１０が押し込まれる間に接触部２１５が移動しても、相手側基板４００と接触部２１５との接触面積が小さく、接触部２１５は相手側基板４００内に収まる。そのため、ＸＹ方向のずれがある場合でも接触部２１５と相手側基板４００との間での接触が維持される。よって、コネクタ３００の嵌合工程及び実装工程でのずれによる接触不良の影響を抑制することができる。なお、上記では接触部２１５はガイド部２１１の先端に設けられているが、可動接点部２１０の突出方向の先端であれば他の位置に設けられていてもよい。ただし、ガイド部２１１に連続するように設けられている方が接触部２１５の強度を高めることができ好ましい。
【００７２】
また、図５に示すように、可動接点部２１０がハウジング１００から最大で突出している状態において、延在部２０３は押込長さＬｄ分だけ弾性変形してハウジング１００内に収納されている（図８参照）。このとき、可動接点部２１０は、係止部２０７及び連結剛体部２２０を介して延在部２０３から、ハウジング１００の接点孔１０７から突出する方向に押し出す力を受けている。図５の状態からさらに、可動接点部２１０が相手側基板４００により押し込まれた場合には、可動接点部２１０は延在部２０３からさらに大きな押し出す力を受ける。そのため、可動接点部２１０と相手側基板４００との接触力を高めることができる。
【００７３】
また、可動接点部２１０がハウジング１００から突出する長さ及び延在部２０３の弾性力を調整することで、可動接点部２１０の押し込み方向のストローク量を調整することができる。
【００７４】
（ｇ）製造方法の例
上述のような接続端子２００は、電気鋳造方法、エッチング及び切削などの種々の方法により製造可能である。特に、電気鋳造方法は、微細で加工精度の高い接続端子２００の製造に好適である。
【００７５】
（２）接続端子２００のハウジング１００内への押込動作
次に、ハウジング１００内に収容された接続端子２００が、さらにハウジング１００内に押し込まれる様子について説明する。図９の（ａ）は接続端子２００が押圧されることなくハウジング１００内に収容されている様子を示す断面図であり、（ｂ）は可動接点部２１０がハウジング１００内に最大に押し込まれている様子を示す断面図である。図１０は、図９（ａ）における接続端子２００の可動接点部２１０と係止受け部１０５との関係を示す拡大図である。図１１は、可動接点部２１０の押し込み方向への変位が最大変位量の１／５の場合における、可動接点部２１０と係止受け部１０５との関係を示す拡大図である。図１２は、可動接点部２１０の押し込み方向への変位が最大変位量の１／１０の場合における、可動接点部２１０と係止受け部１０５との関係を示す拡大図である。
【００７６】
（２−１）可動接点部２１０の押し込み前
図９の（ａ）に示すように可動接点部２１０がハウジング１００内に押し込まれる前においては、接続端子２００は、可動接点部２１０が押圧されることなくハウジング１００内に収容されている。このとき、第１固定部２０１ａはハウジング１００底面の係止孔１１２に挿入され、第２固定部２０１ｂが第１壁１０１に沿って固定挿入孔１１１に挿入されている。また、図８に示すように、接続端子２００の係止部２０７は、押込長さＬｄ分に相当する延在部２０３の弾性力によってハウジング１００の係止受け部１０５に係止されている。
【００７７】
このとき、図１０に示すように係止部２０７の上面は係止受け部１０５の下面と接触している。そして、可動接点部２１０が押圧されていない状態において、ハウジング１００の係止受け部１０５の端面１０５ａと、可動接点部２１０のガイド部２１１とは概ね接触するように配置される。ここで、「接触するように配置される」とは、必ずしも接触していることを意味するものでは無く、部品間の寸法公差に相当する分の隙間は許容される。具体的には、寸法公差に相当する分の隙間とは、０．１ｍｍ以下である。さらに、寸法公差に相当する分の隙間とは、可動接点部２１０を寸法公差分押し込んだ時点では係止受け部１０５の端面１０５ａとガイド部２１１とが接触するように構成されていることを意味する。この寸法公差分に相当する分の隙間によって、図１０に示すように、可動接点部２１０のガイド部２１１は、基部２１４から接触部２１５の方向に向って、係止受け部１０５から離れる方向に傾斜角度θ分だけ傾斜している。ここで、係止受け部１０５の端面１０５ａは、接点孔１０７に面し、鉛直方向に沿う壁面である。よって、ガイド部２１１は、係止受け部１０５の端面１０５ａに対して傾斜角度θ分だけ傾斜している。そのため、可動接点部２１０がハウジング１００内に押し込まれる前においては、ガイド部２１１と係止受け部１０５の端面１０５ａとは、寸法公差に相当する傾斜角度θからなる所定の隙間を有している。
【００７８】
（２−２）可動接点部２１０の最大変位量Ｄｍａｘ
図９の（ｂ）においては、可動接点部２１０は、ハウジング１００内に最も深く押し込まれている。可動接点部２１０がハウジング１００内に押し込まれる前の図９の（ａ）の状態と比較して、可動接点部２１０は最大変位量Ｄｍａｘだけハウジング１００内に押し込まれている。このとき、接続端子２００は、第１固定部２０１ａが係止孔１１２に挿入され、第２固定部２０１ｂが固定挿入孔１１１に挿入されて固定されている。また、接続端子２００の係止部２０７は、最大変位量Ｄｍａｘ分だけ係止受け部１０５から離れている。第１延在部２０３ａ及び第２延在部２０３ｂもまた、最大変位量Ｄｍａｘに相当する分だけ押し込み方向に沿って湾曲して押し縮められている。よって、可動接点部２１０は、第１延在部２０３ａ及び第２延在部２０３ｂから上方に押し上げる力を受けている。この押し上げる力は、最大変位量Ｄｍａｘの押し込み分による延在部２０３の弾性力に相当する。
【００７９】
（２−３）ガイド部２１１と係止受け部１０５の端面１０５ａとの接触
（ａ）最大変位量Ｄｍａｘに至るまでの接触
図１１において、一点鎖線は可動接点部２１０がハウジング１００内に押し込まれていない状態を示している。一方、二点鎖線は可動接点部２１０がハウジング１００内に最大変位量Ｄｍａｘだけ押し込まれている状態を示している。可動接点部２１０がハウジング１００内に押し込まれていない場合には、図１１の一点鎖線に示すように、ガイド部２１１と係止受け部１０５の端面１０５ａとの間には傾斜角度θに相当する隙間がある。なお、傾斜角度θは寸法公差分に相当する分の隙間である。寸法公差を設計において考慮しない場合には、可動接点部２１０がハウジング１００内に押し込まれていない場合においても、ガイド部２１１と係止受け部１０５の端面１０５ａとは接触している。
【００８０】
さらに、可動接点部２１０が最大変位量Ｄｍａｘで押し込まれると、図１１の二点鎖線に示すように、ガイド部２１１は係止受け部１０５の端面１０５ａに接触する。つまり、可動接点部２１０が最大変位量Ｄｍａｘで押し込まれている場合には、ガイド部２１１と係止受け部１０５の端面１０５ａとの間には隙間が無い。
【００８１】
結局、可動接点部２１０が最大変位量Ｄｍａｘだけハウジング１００内に押し込まれるまでに、可動接点部２１０のガイド部２１１と係止受け部１０５の端面１０５ａとが接触する。
【００８２】
より具体的に説明すると、前述の通り、接続端子２００及びハウジング１００等が寸法公差を考慮して設計されている場合には、ガイド部２１１は、係止受け部１０５の端面１０５ａに対して傾斜角度θの傾斜を有している。そのため、可動接点部２１０が押圧されていない状態において、ガイド部２１１とハウジング１００の係止受け部１０５の端面１０５ａとの間には寸法公差に相当する傾斜角度θの隙間がある。そして、可動接点部２１０が最大変位量Ｄｍａｘで押し込まれる前に、延在部２０３からの係止受け部１０５側に押し付ける力によって、ガイド部２１１が係止受け部１０５の端面１０５ａに接触する。このとき、係止受け部１０５が延在するＸ方向と交差するＹ方向側から見た場合に、図１１に示すようにガイド部２１１と係止受け部１０５の端面１０５ａとは直線状に接触している。より具体的には、ガイド部２１１の係止受け部１０５側の端面と、係止受け部１０５の端面１０５ａとは密着している。その後、ガイド部２１１と係止受け部１０５の端面１０５ａとが接触した状態で可動接点部２１０がハウジング１００内に押し込まれる。つまり、ガイド部２１１と係止受け部１０５の端面１０５ａとが接触した後においては、可動接点部２１０は鉛直方向に沿って下方に押し下げられる。よって、可動接点部２１０のＸ方向の移動、つまりワイピングは阻止される。これにより、ガイド部２１１の傾斜角度θ及び最大変位量Ｄｍａｘ等に応じて可動接点部２１０の移動量、つまりワイピング量を抑制するように制御することができる。そのため、可動接点部２１０がワイピングすることによる、可動接点部２１０と相手側基板４００との接触不良を抑制することができる。例えば、可動接点部２１０のワイピング量を小さくするにはガイド部２１１の傾斜角度θを小さくする。逆に、可動接点部２１０のワイピング量を大きくするにはガイド部２１１の傾斜角度θを大きくする。
【００８３】
さらに、可動接点部２１０のハウジング１００内への押し込み量と、ガイド部２１１と係止受け部１０５の端面１０５ａとの関係を説明すると以下のようになる。
【００８４】
（ｂ）最大変位量Ｄｍａｘの１／５に至るまでの接触
図１１の実線に示すように、係止受け部１０５の端面１０５ａとガイド部２１１とは、可動接点部２１０の押し込み方向への変位が最大変位量Ｄｍａｘの１／５に至るまでに接触する。
【００８５】
この場合、ガイド部２１１の係止受け部１０５の端面１０５ａに対する傾斜角度θが小さく設定されており、可動接点部２１０をハウジング１００内に押し込んだ場合にすぐに、係止受け部１０５の端面１０５ａとガイド部２１１とが接触する。これにより、可動接点部２１０のワイピング量を抑制することができる。
【００８６】
なお、図１１において、一点鎖線は可動接点部２１０がハウジング１００内に押し込まれていない状態を示している。一方、二点鎖線は可動接点部２１０がハウジング１００内に最大変位量Ｄｍａｘだけ押し込まれている状態を示している。
【００８７】
（ｃ）最大変位量Ｄｍａｘの１／１０に至るまでの接触
図１２の実線に示すように、係止受け部１０５の端面１０５ａとガイド部２１１とは、可動接点部２１０の押し込み方向への変位が最大変位量Ｄｍａｘの１／１０に至るまでに接触する。
【００８８】
この場合、ガイド部２１１の係止受け部１０５の端面１０５ａに対する傾斜角度θは、最大変位量の１／５に至るまでに係止受け部１０５の端面１０５ａとガイド部２１１とが接触する場合よりもさらに小さく設定されている。よって、可動接点部２１０のワイピング量をさらに抑制することができる。
【００８９】
なお、図１２において、一点鎖線は可動接点部２１０がハウジング１００内に押し込まれていない状態を示している。一方、二点鎖線は可動接点部２１０がハウジング１００内に最大変位量Ｄｍａｘだけ押し込まれている状態を示している。
【００９０】
（３）アセンブリ５００
次に、コネクタ３００と相手側基板４００とを結合したアセンブリ５００について説明する。まず相手側基板４００について説明する。
【００９１】
（３−１）相手側基板４００
図１３は相手側基板４００の斜視図である。図１４の（ａ）は相手側基板４００の正面図であり、（ｂ）は背面図、（ｃ）は右側面図、（ｄ）は左側面図、（ｅ）は上面図、（ｆ）は底面図である。
【００９２】
相手側基板４００の正面側には、樹脂材料からなる絶縁部４０３と、絶縁部４０３により仕切られた接触面４０１とが設けられている。絶縁部４０３は、接触面４０１を取り囲み電気的に絶縁された部分である。絶縁部４０３は樹脂などの絶縁材料で形成されている。接触面４０１は、絶縁部４０３に取り囲まれ、概ね四角形状の凹部からなる。接触面４０１では絶縁材料が除去されており、電気的に接続可能なように金属材料が露出している。図１３の相手側基板４００では、４つの接触面４０１が設けられている。図１３の４つの接触面４０１それぞれは、図１の４つの領域から突出した可動接点部２１０に対応している。なお、接触面４０１の形状は、可動接点部２１０との接触が可能な形状であれば、四角形状に限定されない。例えば円形状であってもよい。
【００９３】
相手側基板４００の底面側には、絶縁部４０３により取り囲まれた概ね円形状のランド４０５が設けられている。ランド４０５は、絶縁材料が除去されており、電気的に接続可能なように金属材料が露出している。ランド４０５は、例えば、相手側基板４００と他の電子部材との接続部分となる領域である。各ランド４０５は、相手側基板４００の正面側に設けられた接触面４０１それぞれと電気的に導通している。なお、接触面４０１の形状は、他の電子部材との接続が可能な形状であれば、円形状に限定されない。
【００９４】
（３−２）コネクタ３００と相手側基板４００との結合
次に、コネクタ３００と相手側基板４００とを結合したアセンブリ５００について説明する。図１５はアセンブリ５００をコネクタ３００の底面側から見た斜視図である。図１６はアセンブリ５００をコネクタ３００の上面側から見た斜視図である。図１７はアセンブリ５００の側面図である。
【００９５】
コネクタ３００の可動接点部２１０が突出した側と、相手側基板４００の接触面４０１が設けられた正面側とを対向させる。このとき、相手側基板４００の４つの接触面４０１それぞれを、コネクタ３００の可動接点部２１０が突出した４つの領域それぞれと対向させる。本実施形態例のコネクタ３００は２本の接続端子２００を１組としているため、１つの接触面４０１には２本の可動接点部２１０が対応する。
【００９６】
次に、コネクタ３００の可動接点部２１０の接触部２１５を接触面４０１により押圧するように、コネクタ３００と相手側基板４００とを所定距離まで近づける。このとき、可動接点部２１０はハウジング１００内に押し込まれる。よって、可動接点部２１０は延在部２０３によりハウジング１００から押し出す方向の力を受ける。これにより、コネクタ３００の可動接点部２１０と相手側基板４００の接触面４０１との接触力が向上し、可動接点部２１０と接触面４０１との導通が確保される。
【００９７】
また、上述の通り、可動接点部２１０のＸ方向への移動が抑制されるため、可動接点部２１０と相手側基板４００とが接触する位置を厳密に定めることができる。その結果、コネクタ３００と相手側基板とを実装する際に、Ｘ方向の位置精度の許容範囲を広くとることができる。
【００９８】
（４）変形例
（４−１）
図１８は可動接点部２１０の対向辺部２１３の他の一例を示す拡大図である。上記実施形態では、対向辺部２１３は直線状に延在している。しかし、図１８に示すように対向辺部２１３は湾曲していてもよい。対向辺部２１３が湾曲した形状を有することで、可動接点部２１０の押し込み方向と交差する方向の断面における応力を、いずれの断面箇所においても概ね均等にすることができる。よって、可動接点部２１０の強度を高めることができる。
【００９９】
（４−２）
図１９は可動接点部２１０のガイド部２１１の他の一例を示す拡大図である。上記実施形態では、ガイド部２１１は鉛直方向に対して若干傾斜している。しかし、寸法公差等を考慮しない場合には、ガイド部２１１は例えば図１９に示すように鉛直方向に沿って延在していてもよい。つまり、ガイド部２１１は、係止受け部１０５の端面１０５ａに対して平行に形成されていてもよい。
【０１００】
このとき、可動接点部２１０は、接続端子２００がハウジング１００内に収容された場合に、ガイド部２１１が係止受け部１０５の端面１０５ａの近傍に位置するように配置されている。そして、可動接点部２１０は、延在部２０３から係止部２０７の上面が係止受け部１０５の下面に係止されるような力を受ける。よって、可動接点部２１０が押圧されていない状態において、図１９に示すようにガイド部２１１が係止受け部１０５の端面１０５ａに接触する。そして、ガイド部２１１が係止受け部１０５の端面１０５ａに接触した状態で、可動接点部２１０が係止受け部１０５の端面１０５ａに対して平行にハウジング１００内に押し込まれる。よって、上記実施形態例と同様に、可動接点部２１０の押し込み方向と交差する方向の動き、所謂ワイピングを抑制できる。
【０１０１】
ただし、上記実施形態例のようにガイド部２１１が鉛直方向に対して所定の傾斜角度θを有していると、可動接点部２１０をハウジング１００の接点孔１０７に挿入する際の抵抗が少なく挿入し易い。
【０１０２】
＜その他の実施形態例＞
（１）
接続端子２００の形状は上記実施形態例に示す接続端子２００に限定されない。接続端子２００の変形例の一例について以下に説明する。
【０１０３】
（１−１）１つの湾曲部２０８を有する接続端子２００
図２０は別の変形例に係る接続端子２００の斜視図である。図２１は（ａ）は図２０の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【０１０４】
接続端子２００は、固定部２０１、分岐部２０２、延在部２０３、係止部２０７、可動接点部２１０及び連結剛体部２２０を含む。上記実施形態例と同様の構成については説明を省略するか簡略化する。なお、本変形例では、上記実施形態例と異なり、規制連結部２０９は設けられていない。
【０１０５】
固定部２０１は、ハウジング１００の係止孔１１２に挿入される第１固定部２０１ａ及び固定挿入孔１１１に挿入される第２固定部２０１ｂを含む。
【０１０６】
第２固定部２０１ｂから分岐部２０２が延在している。分岐部２０２の一端からは第１延在部２０３ａと第２延在部２０３ｂが延在している。第１延在部２０３ａと第２延在部２０３ｂとは、スリット２０５を介して概ね平行に離隔して延在している。第１延在部２０３ａ及び第２延在部２０３ｂは、１つの湾曲部２０８を有している。湾曲部２０８は第２固定部２０１ｂ側に開口を有するように湾曲している。このような湾曲部２０８を有することにより、延在部２０３はしなやかな弾性を有する。
【０１０７】
係止部２０７は、分岐部２０２から延在する延在部２０３の他端である自由端に設けられている。連結剛体部２２０は、係止部２０７と可動接点部２１０とを連続的に連結する。
【０１０８】
可動接点部２１０は、ガイド部２１１、対向辺部２１３、基部２１４及び接触部２１５を有する。また、可動接点部２１０は、固定部２０１から延在する延在部２０３の自由端側に設けられている。より詳細には、可動接点部２１０は、接続端子２００がハウジング１００内に収容された場合に、ガイド部２１１が係止受け部１０５の端面１０５ａの近傍に位置するように配置されている。例えば、可動接点部２１０は、湾曲部２０８の最もふくらみを有する部分と第２固定部２０１ｂとの間に設けられている。また、湾曲部２０８のふくらみの程度及び延在部２０３の弾性力等にもよるが、例えば可動接点部２１０は、湾曲部２０８の最もふくらみを有する部分と第２固定部２０１ｂとの間において、第２固定部２０１ｂ側に設けられている。このような位置に可動接点部２１０が設けられることで、可動接点部２１０は、ハウジング１００内に押圧されていない場合には、延在部２０３から係止部２０７の上面が係止受け部１０５の下面に係止されるような力を受ける。また、可動接点部２１０は、ハウジング１００内に押圧された場合には、延在部２０３から係止部２０７側、つまり係止受け部１０５側に押し付けられる力を受ける。よって、可動接点部２１０のガイド部２１１と係止受け部１０５の端面１０５ａとが接触する（図１１参照）。
【０１０９】
上述の図２０及び図２１に示す接続端子２００は、１つの湾曲部２０８を有することにより、延在部２０３に弾性を与える。よって、接続端子２００がハウジング１００に収容された場合に、延在部２０３の弾性力により係止部２０７がハウジング１００の係止受け部１０５に係止される。また、可動接点部２１０がハウジング１００内に押圧された場合には、延在部２０３の弾性力により可動接点部２１０に押し出す力が与えられる。よって、可動接点部２１０と相手側基板４００との接触力を高めることができる。
【０１１０】
（１−２）３つの湾曲部２０８を有する接続端子２００
図２２はさらに別の変形例に係る接続端子２００の斜視図である。図２３は（ａ）は図２２の接続端子２００の正面図であり、（ｂ）は右側面図であり、（ｃ）は左側面図であり、（ｄ）は可動接点部２１０側から見た接続端子２００の上面図であり、（ｅ）は第１固定部２０１ａ側から見た接続端子２００の底面図である。
【０１１１】
接続端子２００は、固定部２０１、分岐部２０２、延在部２０３、係止部２０７、規制連結部２０９、可動接点部２１０及び連結剛体部２２０を含む。上記実施形態例と同様の構成については説明を省略するか簡略化する。
【０１１２】
固定部２０１は、ハウジング１００の係止孔１１２に挿入される第１固定部２０１ａ及び固定挿入孔１１１に挿入される第２固定部２０１ｂを含む。
【０１１３】
第２固定部２０１ｂから分岐部２０２が延在している。分岐部２０２の一端からは第１延在部２０３ａと第２延在部２０３ｂが延在している。第１延在部２０３ａと第２延在部２０３ｂとは、スリット２０５を介して概ね平行に離隔して延在している。
【０１１４】
第１延在部２０３ａ及び第２延在部２０３ｂは、複数の湾曲部２０８を有している。具体的には、第１延在部２０３ａ及び第２延在部２０３ｂは、第１湾曲部２０８ａ、第２湾曲部２０８ｂ及び第３湾曲部２０８ｃを有する。第１湾曲部２０８ａ、第２湾曲部２０８ｂ及び第３湾曲部２０８ｃは、延在部２０３のうち概ね直線状の部分を除いた湾曲している部分である。第３湾曲部２０８ｃは、延在部２０３が分岐部２０２から最初に湾曲する部分であり、第２固定部２０１ｂ側に開口を有して概ねＵ字状に湾曲している。第２湾曲部２０８ｂは、延在部２０３が第３湾曲部２０８ｃの次に湾曲する部分であり、第３湾曲部２０８ｃの開口方向に対して反対側に開口を有する。つまり、第２湾曲部２０８ｂは、第２固定部２０１ｂと対向する側に開口を有して概ねＵ字状に湾曲している。第１湾曲部２０８ａは、延在部２０３が第２湾曲部２０８ｂの次に湾曲する部分であり、第３湾曲部２０８ｃの開口方向と同じ方向に開口を有して概ねＵ字状に湾曲している。これら３つの第１湾曲部２０８ａ、第２湾曲部２０８ｂ及び第３湾曲部２０８ｃを有することにより、延在部２０３は３か所において蛇行した形状を有している。このような湾曲部２０８を有することにより、延在部２０３はしなやかな弾性を有する。
【０１１５】
第１湾曲部２０８ａ、第２湾曲部２０８ｂ及び第３湾曲部２０８ｃは同程度の湾曲及びＸ方向の幅を有している。ただし第１湾曲部２０８ａ、第２湾曲部２０８ｂ及び第３湾曲部２０８ｃの湾曲の程度及びＸ方向の幅がそれぞれ異なっていても良い。
【０１１６】
規制連結部２０９は、第１延在部２０３ａと第２延在部２０３ｂとを連結する部材である。規制連結部２０９は、第１規制連結部２０９ａ及び第２規制連結部２０９ｂを含む。第１規制連結部２０９ａは、第１湾曲部２０８ａ及び第２湾曲部２０８ｂの間に設けられている。第２規制連結部２０９ｂは、第２湾曲部２０８ｂ及び第３湾曲部２０８ｃの間に設けられている。規制連結部２０９を設けることで、第１延在部２０３ａ及び第２延在部２０３ｂが連動して動くようにすることができる。よって、第１延在部２０３ａ及び第２延在部２０３ｂの動きを制御し易くなる。第１湾曲部２０８ａ及び第２湾曲部２０８ｂの間と、第２湾曲部２０８ｂ及び第３湾曲部２０８ｃの間は応力が掛かりにくい部分である。この部分にそれぞれ第１規制連結部２０９ａ及び第２規制連結部２０９ｂが設けられている。よって、第１規制連結部２０９ａ及び第２規制連結部２０９ｂへの応力を回避することができるとともに、第１延在部２０３ａ及び第２延在部２０３ｂの動きを制御し易くなる。
【０１１７】
係止部２０７は、分岐部２０２から延在する延在部２０３の他端である自由端に設けられている。連結剛体部２２０は、係止部２０７と可動接点部２１０とを連続的に連結する。
【０１１８】
可動接点部２１０は、ガイド部２１１、対向辺部２１３、基部２１４及び接触部２１５を有する。可動接点部２１０は、固定部２０１から延在する延在部２０３の自由端側に設けられている。より詳細には、可動接点部２１０は、接続端子２００がハウジング１００内に収容された場合に、ガイド部２１１が係止受け部１０５の端面１０５ａの近傍に位置するように配置されている。例えば、可動接点部２１０は、第１湾曲部２０８ａ及び第３湾曲部２０８ｃと第２固定部２０１ｂとの間に設けられている。また、延在部２０３の弾性力等にもよるが、例えば可動接点部２１０は、第１湾曲部２０８ａ及び第３湾曲部２０８ｃと第２固定部２０１ｂとの間において、第２固定部２０１ｂ側に設けられている。このような位置に可動接点部２１０が設けられることで、可動接点部２１０は、ハウジング１００内に押圧されていない場合には、延在部２０３から係止部２０７の上面が係止受け部１０５の下面に係止されるような力を受ける。また、可動接点部２１０は、ハウジング１００内に押圧された場合には、延在部２０３から係止部２０７側、つまり係止受け部１０５側に押し付けられる力を受ける。よって、可動接点部２１０のガイド部２１１と係止受け部１０５の端面１０５ａとが接触する（図１１参照）。
【０１１９】
上述の図２２及び図２３に示す接続端子２００は、３つの第１湾曲部２０８ａ、第２湾曲部２０８ｂ及び第３湾曲部２０８ｃを有することにより、延在部２０３に弾性を与える。よって、接続端子２００がハウジング１００に収容された場合に、延在部２０３の弾性力により係止部２０７がハウジング１００の係止受け部１０５に係止される。また、可動接点部２１０がハウジング１００内に押圧された場合には、延在部２０３の弾性力により可動接点部２１０に押し出す力が与えられる。よって、可動接点部２１０と相手側基板４００との接触力を高めることができる。
【０１２０】
（２）
上記実施形態では、コネクタ３００は２本の接続端子２００を１組として、相手側基板４００の接触面４０１と接触する。しかし、接続端子２００の数はこれに限定されず、３本以上の接続端子２００を１組として接触面４０１と接触してもよいし、１本の接続端子２００のみが接触面４０１と接触してもよい。
【０１２１】
また、上記実施形態では、図１に示すように接続端子２００は２本を１組として、ハウジング１００の４箇所から突出して形成されている。しかし、１つのハウジング１００から接続端子２００を突出させる箇所はこれに限定されない。例えば、１つのハウジング１００の１箇所、２箇所、３箇所又は５箇所以上から接続端子２００を突出させてもよい。また、前述と同様に、突出させる接続端子２００の１組の組み合わせ本数も２本には限定されない。
【０１２２】
（３）
上記実施形態では、延在部２０３は、２本の第１延在部２０３ａ及び第２延在部２０３ｂを含む。しかし、延在部２０３は１本の延在部のみから構成されてもよいし、３本以上の延在部から構成されてもよい。
【産業上の利用可能性】
【０１２３】
本発明の接続端子によればワイピング量を抑制することができるため、相手側基板と接続端子との接触の位置ずれを制御し、相手側基板と接続端子との実装時の位置精度の許容範囲を広げることが要求されるコネクタに有用である。
【符号の説明】
【０１２４】
１００        ハウジング
１０５        係止受け部
１０５ａ      端面
１０７        接点孔
１１１        固定挿入孔
１１２        係止孔
２００        接続端子
２０１        固定部
２０２        分岐部
２０３        延在部
２０３ａ      第１延在部
２０３ｂ      第２延在部
２０５        スリット
２０７        係止部
２０８        湾曲部
２０８ａ      第１湾曲部
２０８ｂ      第２湾曲部
２０９        規制連結部
２１０        可動接点部
２１１        ガイド部
２１３        対向辺部
２１４        基部
２１５        接触部
２２０        連結剛体部
２２１        屈曲部
３００        コネクタ
４００        相手側基板
４０１        接触面
５００        アセンブリ